(57)【要約】【課題】端末装置と基地局装置が効率的に通信すること。【解決手段】端末装置は、上りリンクの送信に対応するＨＡＲＱプロセスであって、同期ＨＡＲＱまたは非同期ＨＡＲＱが適用される前記ＨＡＲＱプロセス、前記ＨＡＲＱプロセスに対するＨＡＲＱ  ＲＴＴタイマー、前記ＨＡＲＱプロセスに対する第１のタイマー、および、前記ＨＡＲＱプロセスに関連するバッファを制御し、サブフレームのそれぞれに対して：前記ＨＡＲＱ  ＲＴＴタイマーがあるサブフレームにおいて満了し、且つ、前記ＨＡＲＱバッファが空ではない場合に、前記第１のタイマーをスタートし；前記第１のタイマーがランニングしている期間を含むアクティブタイムの間において、前記物理下りリンク制御チャネルをモニタし；前記物理下りリンク制御チャネルが前記上りリンクの送信を示し、且つ、前記ＨＡＲＱプロセスに対して前記非同期ＨＡＲＱが適用される場合に、前記ＨＡＲＱ  ＲＴＴタイマーをスタートする。【選択図】図２１
2018101823.tif 000002
【特許請求の範囲】
【請求項１】
間欠受信を行なう端末装置であって、
物理下りリンク制御チャネルをモニタする受信部と、
上りリンクの送信に対応するＨＡＲＱ（Hybrid Automatic Repeat reQuest）プロセスであって、同期ＨＡＲＱまたは非同期ＨＡＲＱが適用される前記ＨＡＲＱプロセス、前記ＨＡＲＱプロセスに対するＨＡＲＱ  ＲＴＴ（Round Trip Time）タイマー、前記ＨＡＲＱプロセスに対する第１のタイマー、および、前記ＨＡＲＱプロセスに関連するバッファを制御する媒体アクセス制御層処理部と、を備え、
前記端末装置は、サブフレームのそれぞれに対して：
前記ＨＡＲＱ  ＲＴＴタイマーがあるサブフレームにおいて満了し、且つ、前記ＨＡＲＱバッファが空ではない場合に、前記第１のタイマーをスタートし；
前記第１のタイマーがランニングしている期間を含むアクティブタイムの間において、前記物理下りリンク制御チャネルをモニタし；
前記物理下りリンク制御チャネルが前記上りリンクの送信を示し、且つ、前記ＨＡＲＱプロセスに対して前記非同期ＨＡＲＱが適用される場合に、前記ＨＡＲＱ  ＲＴＴタイマーをスタートする
端末装置。
【請求項２】
前記サブフレームのそれぞれに対して、前記ＨＡＲＱプロセスに対して前記非同期ＨＡＲＱが適用され、前記ＨＡＲＱ  ＲＴＴタイマーが前記あるサブフレームにおいて満了し、且つ、前記ＨＡＲＱバッファが空ではない場合に、前記第１のタイマーをスタートする
請求項１の端末装置。
【請求項３】
前記サブフレームのそれぞれに対して、前記ＨＡＲＱ  ＲＴＴタイマーが前記あるサブフレームにおいて満了し、且つ、前記ＨＡＲＱバッファが空である場合に、前記第１のタイマーをスタートしない
請求項１の端末装置。
【請求項４】
前記サブフレームのそれぞれに対して、前記物理下りリンク制御チャネルが前記上りリンクの送信を示し、且つ、前記ＨＡＲＱプロセスに対して前記同期ＨＡＲＱが適用される場合に、前記ＨＡＲＱ  ＲＴＴタイマーをスタートしない
請求項１の端末装置。
【請求項５】
前記物理下りリンク制御チャネルが前記上りリンクの初期送信を示す場合、前記ＨＡＲＱプロセスに対する第２のタイマーをスタートし、
前記第２のタイマーの満了に基づいて前記ＨＡＲＱバッファをフラッシュする
請求項１の端末装置。
【請求項６】
前記ＨＡＲＱプロセスが上りリンクの初期送信を要求された場合、前記ＨＡＲＱプロセスに対する第２のタイマーをスタートし、
前記第２のタイマーの満了に基づいて前記ＨＡＲＱバッファをフラッシュする
請求項１の端末装置。
【請求項７】
間欠受信を行なう端末装置において用いられる通信方法であって、
上りリンクの送信に対応するＨＡＲＱ（Hybrid Automatic Repeat reQuest）プロセスであって、同期ＨＡＲＱまたは非同期ＨＡＲＱが適用される前記ＨＡＲＱプロセス、前記ＨＡＲＱプロセスに対するＨＡＲＱ  ＲＴＴ（Round Trip Time）タイマー、前記ＨＡＲＱプロセスに対する第１のタイマー、および、前記ＨＡＲＱプロセスに関連するバッファを制御し、
前記端末装置は、サブフレームのそれぞれに対して：
前記ＨＡＲＱ  ＲＴＴタイマーがあるサブフレームにおいて満了し、且つ、前記ＨＡＲＱバッファが空ではない場合に、前記第１のタイマーをスタートし；
前記第１のタイマーがランニングしている期間を含むアクティブタイムの間において、前記物理下りリンク制御チャネルをモニタし；
前記物理下りリンク制御チャネルが前記上りリンクの送信を示し、且つ、前記ＨＡＲＱプロセスに対して前記非同期ＨＡＲＱが適用される場合に、前記ＨＡＲＱ  ＲＴＴタイマーをスタートする
通信方法。
【請求項８】
前記サブフレームのそれぞれに対して、前記ＨＡＲＱプロセスに対して前記非同期ＨＡＲＱが適用され、前記ＨＡＲＱ  ＲＴＴタイマーが前記あるサブフレームにおいて満了し、且つ、前記ＨＡＲＱバッファが空ではない場合に、前記第１のタイマーをスタートする
請求項７の通信方法。
【請求項９】
前記サブフレームのそれぞれに対して、前記ＨＡＲＱ  ＲＴＴタイマーが前記あるサブフレームにおいて満了し、且つ、前記ＨＡＲＱバッファが空である場合に、前記第１のタイマーをスタートしない
請求項７の通信方法。
【請求項１０】
前記サブフレームのそれぞれに対して、前記物理下りリンク制御チャネルが前記上りリンクの送信を示し、且つ、前記ＨＡＲＱプロセスに対して前記同期ＨＡＲＱが適用される場合に、前記ＨＡＲＱ  ＲＴＴタイマーをスタートしない
請求項７の通信方法。
【請求項１１】
前記物理下りリンク制御チャネルが前記上りリンクの初期送信を示す場合、前記ＨＡＲＱプロセスに対する第２のタイマーをスタートし、
前記第２のタイマーの満了に基づいて前記ＨＡＲＱバッファをフラッシュする
請求項７の通信方法。
【請求項１２】
前記ＨＡＲＱプロセスが上りリンクの初期送信を要求された場合、前記ＨＡＲＱプロセスに対する第２のタイマーをスタートし、
前記第２のタイマーの満了に基づいて前記ＨＡＲＱバッファをフラッシュする
請求項７の通信方法。
【請求項１３】
間欠受信を行なう端末装置に実装される集積回路であって、
上りリンクの送信に対応するＨＡＲＱ（Hybrid Automatic Repeat reQuest）プロセスであって、同期ＨＡＲＱまたは非同期ＨＡＲＱが適用される前記ＨＡＲＱプロセス、前記ＨＡＲＱプロセスに対するＨＡＲＱ  ＲＴＴ（Round Trip Time）タイマー、前記ＨＡＲＱプロセスに対する第１のタイマー、および、前記ＨＡＲＱプロセスに関連するバッファを制御する機能、および、
前記端末装置は、サブフレームのそれぞれに対して：
前記ＨＡＲＱ  ＲＴＴタイマーがあるサブフレームにおいて満了し、且つ、前記ＨＡＲＱバッファが空ではない場合に、前記第１のタイマーをスタートし；
前記第１のタイマーがランニングしている期間を含むアクティブタイムの間において、前記物理下りリンク制御チャネルをモニタし；
前記物理下りリンク制御チャネルが前記上りリンクの送信を示し、且つ、前記ＨＡＲＱプロセスに対して前記非同期ＨＡＲＱが適用される場合に、前記ＨＡＲＱ  ＲＴＴタイマーをスタートする機能と、を含む一連の機能を前記端末装置に発揮させる
集積回路。
【請求項１４】
前記サブフレームのそれぞれに対して、前記ＨＡＲＱプロセスに対して前記非同期ＨＡＲＱが適用され、前記ＨＡＲＱ  ＲＴＴタイマーが前記あるサブフレームにおいて満了し、且つ、前記ＨＡＲＱバッファが空ではない場合に、前記第１のタイマーをスタートする機能を、前記一連の機能は含む
請求項１３の集積回路。
【請求項１５】
前記サブフレームのそれぞれに対して、前記ＨＡＲＱ  ＲＴＴタイマーが前記あるサブフレームにおいて満了し、且つ、前記ＨＡＲＱバッファが空である場合に、前記第１のタイマーをスタートしない機能を、前記一連の機能は含む
請求項１３の集積回路。
【請求項１６】
前記サブフレームのそれぞれに対して、前記物理下りリンク制御チャネルが前記上りリンクの送信を示し、且つ、前記ＨＡＲＱプロセスに対して前記同期ＨＡＲＱが適用される場合に、前記ＨＡＲＱ  ＲＴＴタイマーをスタートしない機能を、前記一連の機能は含む
請求項１３の集積回路。
【請求項１７】
前記物理下りリンク制御チャネルが前記上りリンクの初期送信を示す場合、前記ＨＡＲＱプロセスに対する第２のタイマーをスタートする機能、および、
前記第２のタイマーの満了に基づいて前記ＨＡＲＱバッファをフラッシュする機能を、前記一連の機能は含む
請求項１３の集積回路。
【請求項１８】
前記ＨＡＲＱプロセスが上りリンクの初期送信を要求された場合、前記ＨＡＲＱプロセスに対する第２のタイマーをスタート機能、および、
前記第２のタイマーの満了に基づいて前記ＨＡＲＱバッファをフラッシュする機能を、前記一連の機能は含む
請求項１３の集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE）」、「Evolved Universal Terrestrial Radio Access : EUTRA」、または、「Evolved Universal Terrestrial Radio Access Network: EUTRAN」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。
【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。
【０００４】
ＬＴＥは、ＭＡＣ（Medium Access Control）層においてＨＡＲＱ（Hybrid Automatic Repeat reQuest）機能（functionality）を提供する。下りリンクにおけるＨＡＲＱ機能は、非同期（asynchronous）適用（adaptive）ＨＡＲＱの特徴を持つ、そして、上りリンクにおけるＨＡＲＱ機能は、同期（synchronous）ＨＡＲＱの特徴を持つ（非特許文献１）。３ＧＰＰにおいて、上りリンクにおける非同期ＨＡＲＱの導入が検討されている（非特許文献２）。
【先行技術文献】
【非特許文献】
【０００５】
【非特許文献１】"3GPP TS 36.300 v12.4.0 Evolved Universal Terrestrial Radio Access (E-UTRA) and Evolved Universal Terrestrial Radio Access Network (E-UTRAN); Overall description; Stage 2", 7th November 2015.
【非特許文献２】"UL HARQ considerations for LTE LAA", R2-151551, NVIDIA,3GPP TSG RAN WG2 Meeting #89bis, 20th - 24th April 2015.
【発明の概要】
【発明が解決しようとする課題】
【０００６】
しかしながら、上りリンクにおいて非同期ＨＡＲＱを導入する際の具体的な方法は十分に検討されていない。例えば、上りリンクにおいて同期ＨＡＲＱと非同期ＨＡＲＱを切り替える手段について十分に検討されていない。また、例えば、上りリンクグラントが対応するＨＡＲＱプロセスを特定する手段について十分に検討されていない。また、例えば、ＨＡＲＱバッファの処理方法について十分に検討されていない。また、例えば、非同期ＨＡＲＱに対応するＤＲＸ（discontinuous reception）について十分に検討されていない。
【０００７】
本発明は上記の点に鑑みてなされたものであり、その目的は、基地局装置と効率的に通信することができる端末装置、該端末装置に実装される集積回路、該端末装置に用いられる通信方法、該端末装置と通信する基地局装置、該基地局装置に用いられる通信方法、および、該基地局装置に実装される集積回路を提供することを目的とする。
【課題を解決するための手段】
【０００８】
（１）上記の目的を達成するために、本発明の態様は、以下のような手段を講じた。すなわち、本発明の第１の態様は、間欠受信を行なう端末装置であって、物理下りリンク制御チャネルをモニタする受信部と、上りリンクの送信に対応するＨＡＲＱ（Hybrid Automatic Repeat reQuest）プロセスであって、同期ＨＡＲＱまたは非同期ＨＡＲＱが適用される前記ＨＡＲＱプロセス、前記ＨＡＲＱプロセスに対するＨＡＲＱ  ＲＴＴ（Round Trip Time）タイマー、前記ＨＡＲＱプロセスに対する第１のタイマー、および、前記ＨＡＲＱプロセスに関連するバッファを制御する媒体アクセス制御層処理部と、を備え、前記端末装置は、サブフレームのそれぞれに対して：前記ＨＡＲＱ  ＲＴＴタイマーがあるサブフレームにおいて満了し、且つ、前記ＨＡＲＱバッファが空ではない場合に、前記第１のタイマーをスタートし；前記第１のタイマーがランニングしている期間を含むアクティブタイムの間において、前記物理下りリンク制御チャネルをモニタし；前記物理下りリンク制御チャネルが前記上りリンクの送信を示し、且つ、前記ＨＡＲＱプロセスに対して前記非同期ＨＡＲＱが適用される場合に、前記ＨＡＲＱ  ＲＴＴタイマーをスタートする。
【０００９】
（２）本発明の第２の態様は、間欠受信を行なう端末装置において用いられる通信方法であって、上りリンクの送信に対応するＨＡＲＱ（Hybrid Automatic Repeat reQuest）プロセスであって、同期ＨＡＲＱまたは非同期ＨＡＲＱが適用される前記ＨＡＲＱプロセス、前記ＨＡＲＱプロセスに対するＨＡＲＱ  ＲＴＴ（Round Trip Time）タイマー、前記ＨＡＲＱプロセスに対する第１のタイマー、および、前記ＨＡＲＱプロセスに関連するバッファを制御し、前記端末装置は、サブフレームのそれぞれに対して：前記ＨＡＲＱ  ＲＴＴタイマーがあるサブフレームにおいて満了し、且つ、前記ＨＡＲＱバッファが空ではない場合に、前記第１のタイマーをスタートし；前記第１のタイマーがランニングしている期間を含むアクティブタイムの間において、前記物理下りリンク制御チャネルをモニタし；前記物理下りリンク制御チャネルが前記上りリンクの送信を示し、且つ、前記ＨＡＲＱプロセスに対して前記非同期ＨＡＲＱが適用される場合に、前記ＨＡＲＱ  ＲＴＴタイマーをスタートする。
【００１０】
（３）本発明の第３の態様は、間欠受信を行なう端末装置に実装される集積回路であって、上りリンクの送信に対応するＨＡＲＱ（Hybrid Automatic Repeat reQuest）プロセスであって、同期ＨＡＲＱまたは非同期ＨＡＲＱが適用される前記ＨＡＲＱプロセス、前記ＨＡＲＱプロセスに対するＨＡＲＱ  ＲＴＴ（Round Trip Time）タイマー、前記ＨＡＲＱプロセスに対する第１のタイマー、および、前記ＨＡＲＱプロセスに関連するバッファを制御する機能、および、前記端末装置は、サブフレームのそれぞれに対して：前記ＨＡＲＱ  ＲＴＴタイマーがあるサブフレームにおいて満了し、且つ、前記ＨＡＲＱバッファが空ではない場合に、前記第１のタイマーをスタートし；前記第１のタイマーがランニングしている期間を含むアクティブタイムの間において、前記物理下りリンク制御チャネルをモニタし；前記物理下りリンク制御チャネルが前記上りリンクの送信を示し、且つ、前記ＨＡＲＱプロセスに対して前記非同期ＨＡＲＱが適用される場合に、前記ＨＡＲＱ  ＲＴＴタイマーをスタートする機能と、を含む一連の機能を前記端末装置に発揮させる。
【発明の効果】
【００１１】
この発明によれば、端末装置が、効率的に基地局装置と通信することができる。
【図面の簡単な説明】
【００１２】
【図１】本実施形態の無線通信システムの概念図である。
【図２】本実施形態におけるキャリアアグリゲーションが設定された上りリンクに対するＭＡＣ層の構造の一例を示す図である。
【図３】本実施形態におけるＤＣＩフォーマット０の一例を示す図である。
【図４】本実施形態の無線フレームの概略構成を示す図である。
【図５】本実施形態におけるＵＬ−ＤＬ設定の一例を示す表である。
【図６】本実施形態における同期ＨＡＲＱの一例を示す図である。
【図７】本実施形態における非同期ＨＡＲＱの一例を示す図である。
【図８】本実施形態におけるＴＤＤサービングセルに対応するＨＡＲＱエンティティが並行して管理するＨＡＲＱプロセスの数の一例を示す図である。
【図９】本実施形態におけるＴＤＤサービングセルに対応するＨＡＲＱエンティティが並行して管理するＨＡＲＱプロセスの数の別の例を示す図である。
【図１０】本実施形態における同期ＨＡＲＱと非同期ＨＡＲＱを切り替える手段の第１の例を示す図である。
【図１１】本実施形態における同期ＨＡＲＱと非同期ＨＡＲＱを切り替える手段の第２の例を示す図である。
【図１２】本実施形態における同期ＨＡＲＱと非同期ＨＡＲＱを切り替える手段の第３の例を示す図である。
【図１３】本実施形態における同期ＨＡＲＱと非同期ＨＡＲＱを切り替える手段の第４の例を示す図である。
【図１４】本実施形態におけるランダムアクセスレスポンスの一例を示す図である。
【図１５】本実施形態における拡張されたＭＡＣ  ＲＡＲの一例を示す図である。
【図１６】本実施形態におけるＤＲＸサイクルの一例を示す図である。
【図１７】本実施形態におけるＤＲＸオペレーションの一例を示すフロー図である。
【図１８】本実施形態におけるＤＲＸオペレーションの一例を示すフロー図である。
【図１９】本実施形態におけるＤＲＸの一例を示す図である。
【図２０】本実施形態の端末装置１の構成を示す概略ブロック図である。
【図２１】本実施形態の基地局装置３の構成を示す概略ブロック図である。
【発明を実施するための形態】
【００１３】
以下、本発明の実施形態について説明する。
【００１４】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１５】
以下、キャリアアグリゲーションについて説明する。
【００１６】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。キャリアアグリゲーションにおいて、設定された複数のサービングセルを集約されたサービングセルとも称する。
【００１７】
本実施形態の無線通信システムは、ＴＤＤ（Time Division Duplex）および／またはＦＤＤ（Frequency Division Duplex）が適用される。セルアグリゲーションの場合には、複数のサービングセルの全てに対してＦＤＤが適用されてもよい。セルアグリゲーションの場合には、複数のサービングセルの全てに対してＴＤＤが適用されてもよい。また、セルアグリゲーションの場合には、ＴＤＤが適用されるサービングセルとＦＤＤが適用されるサービングセルが集約されてもよい。
【００１８】
設定された複数のサービングセルは、１つのプライマリーセルと１つまたは複数のセカンダリーセルとを含む。プライマリーセルは、初期コネクション確立（initial connection establishment）プロシージャが行なわれたセル、コネクション再確立（connection re-establishment）プロシージャを開始したセル、または、ハンドオーバプロシージャにおいてプライマリーセルと指示されたセルである。ＲＲＣ（Radio Resource Control）コネクションが確立された時点、または、後に、セカンダリーセルが設定／追加されてもよい。
【００１９】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。ＦＤＤにおいて、上りリンクコンポーネントキャリアと下りリンクコンポーネントキャリアは、異なるキャリア周波数に対応する。ＴＤＤにおいて、上りリンクコンポーネントキャリアと下りリンクコンポーネントキャリアは、同じキャリア周波数に対応する。
【００２０】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００２１】
図２は、本実施形態におけるキャリアアグリゲーションが設定された上りリンクに対するＭＡＣ層の構造の一例を示す図である。キャリアアグリゲーションが設定された上りリンクにおいて、サービングセル（上りリンクコンポーネントキャリア）毎に１つの独立したＨＡＲＱエンティティ（entity）が存在する。ＨＡＲＱエンティティは、複数のＨＡＲＱプロセスを並行して管理する。ＨＡＲＱプロセスはＨＡＲＱバッファに関連する。すなわち、ＨＡＲＱエンティティは複数のＨＡＲＱバッファに関連する。ＨＡＲＱプロセスは、ＭＡＣ層のデータをＨＡＲＱバッファにストアする。ＨＡＲＱプロセスは、該ＭＡＣ層のデータを送信するよう物理層に指示する。
【００２２】
キャリアアグリゲーションが設定された上りリンクにおいて、サービングセル毎にＴＴＩ（Transmission Time Interval）毎に少なくとも１つのトランスポートブロックが生成される。トランスポートブロックのそれぞれ、および、そのトランスポートブロックのＨＡＲＱ再送信は、１つのサービングセルにマップされる。尚、ＬＴＥにおいて、ＴＴＩはサブフレームである。トランスポートブロックは、ＵＬ−ＳＣＨ（uplink shared channel）で送信されるＭＡＣ層のデータである。
【００２３】
本実施形態の上りリンクにおいて、「トランスポートブロック」、「ＭＡＣ  ＰＤＵ（Protocol Data Unit）」、「ＭＡＣ層のデータ」、「ＵＬ−ＳＣＨ」、「ＵＬ−ＳＣＨデータ」、および、「上りリンクデータ」は、同一のものとする。
【００２４】
本実施形態の物理チャネルおよび物理信号について説明する。
【００２５】
端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２６】
ＰＵＣＣＨは、上りリンク制御情報（Uplink Control Information: UCI）を送信するために用いられる。上りリンク制御情報は、下りリンクのチャネル状態情報（Channel State Information: CSI）、初期送信のためのＰＵＳＣＨ（Uplink-Shared Channel: UL-SCH）リソースを要求するために用いられるスケジューリングリクエスト（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。ＨＡＲＱ−ＡＣＫは、ＡＣＫ（acknowledgement）またはＮＡＣＫ（negative-acknowledgement）を示す。ＨＡＲＱ−ＡＣＫを、ＡＣＫ／ＮＡＣＫ、ＨＡＲＱフィードバック、ＨＡＲＱ応答、または、ＨＡＲＱ制御情報とも称する。
【００２７】
スケジューリングリクエストは、正のスケジューリングリクエスト（positive scheduling request）、または、負のスケジューリングリクエスト（negative scheduling request）を含む。正のスケジューリングリクエストは、初期送信のためのＵＬ−ＳＣＨリソースを要求することを示す。負のスケジューリングリクエストは、初期送信のためのＵＬ−ＳＣＨリソースを要求しないことを示す。
【００２８】
ＰＵＳＣＨは、上りリンクデータ（Uplink-Shared Channel: UL-SCH）を送信するために用いられる。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみを送信するために用いられてもよい。また、ＰＵＳＣＨはＨＡＲＱ−ＡＣＫおよびチャネル状態情報のみを送信するために用いられてもよい。
【００２９】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリングを送受信してもよい。また、基地局装置３と端末装置１は、媒体アクセス制御（MAC: Medium Access Control）層において、ＭＡＣ  ＣＥを送受信してもよい。ここで、ＲＲＣシグナリング、および／または、ＭＡＣ  ＣＥを、上位層の信号（higher layer signaling）とも称する。ＲＲＣシグナリング、および／または、ＭＡＣ  ＣＥは、トランスポートブロックに含まれる。
【００３０】
本実施形態において、「ＲＲＣシグナリング」、「ＲＲＣ層の情報」、「ＲＲＣ層の信号」、「ＲＲＣ層のパラメータ」、「ＲＲＣメッセージ」、および、「ＲＲＣ情報要素」は、同一のものとする。
【００３１】
ＰＵＳＣＨは、ＲＲＣシグナリング、および、ＭＡＣ  ＣＥを送信するために用いられる。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であっても良い。すなわち、ユーザ装置スペシフィック（ユーザ装置固有）な情報は、ある端末装置１に対して専用のシグナリングを用いて送信される。
【００３２】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨ（ＵＬ−ＳＣＨ）リソースの要求を示すために用いられる。
【００３３】
上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００３４】
基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３５】
ＰＢＣＨは、端末装置１で共通に用いられるマスターインフォメーションブロック（Master Information Block: MIB, Broadcast Channel: BCH）を報知するために用いられる。
【００３６】
ＰＣＦＩＣＨは、ＰＤＣＣＨの送信に用いられる領域（ＯＦＤＭシンボル）を指示する情報を送信するために用いられる。
【００３７】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３８】
ＰＤＣＣＨおよびＥＰＤＣＣＨは、下りリンク制御情報（Downlink Control Information: DCI）を送信するために用いられる。本実施形態において、便宜的に「ＰＤＣＣＨ」は「ＥＰＤＣＣＨ」を含むとする。下りリンク制御情報を、ＤＣＩフォーマットとも称する。１つのＰＤＣＣＨで送信される下りリンク制御情報は、下りリンクグラント（downlink grant）およびＨＡＲＱ情報、または、上りリンクグラント（uplink grant）およびＨＡＲＱ情報を含む。下りリンクグラントは、下りリンクアサインメント（downlink assignment）または下りリンク割り当て（downlink allocation）とも称する。下りリンクアサインメントおよび上りリンクグラントは、１つのＰＤＣＣＨで一緒に送信されない。
【００３９】
図３は、本実施形態におけるＤＣＩフォーマット０の一例を示す図である。ＤＣＩフォーマット０は、上りリンクグラント、および、ＨＡＲＱ情報を含む。ＵＬ−ＤＬ設定（uplink-downlink configuration）０が設定されるサービングセルに対するＤＣＩフォーマット０は、ＵＬインデックスフィールドを含んでもよい。ＵＬインデックスは、ＤＣＩフォーマット０によってスケジュールされるＰＵＳＣＨ送信が調整されるサブフレームを指示する。ＵＬインデックスは第１のビットと第２のビットを含む。端末装置１は、ＵＬインデックスの第１のビットに“１”がセットされている場合、ＰＵＳＣＨ送信を第１のサブフレームに調整する。端末装置１は、ＵＬインデックスの第２のビットに“１”がセットされている場合、ＰＵＳＣＨ送信を第２のサブフレームに調整する。端末装置１は、第１のビットと第２のビットの両方に“１”がセットされている場合、第１のサブフレームおよび第２のサブフレームのそれぞれにＰＵＳＣＨ送信を調整する。
【００４０】
下りリンクアサインメントは、単一のセル内の単一のＰＤＳＣＨのスケジューリングに用いられる。下りリンクアサインメントは、該下りリンクグラントが送信されたサブフレームと同じサブフレーム内のＰＤＳＣＨのスケジューリングに用いられる。
【００４１】
上りリンクグラントは、単一のセル内の単一のＰＵＳＣＨのスケジューリングに用いられる。上りリンクグラントは、該上りリンクグラントが送信されたサブフレームより後のサブフレーム内の単一のＰＵＳＣＨのスケジューリングに用いられる。
【００４２】
ＨＡＲＱ情報は、ＮＤＩ（New Data Indicator）およびトランスポートブロックサイズを示すための情報を含む。下りリンクアサインメントとともにＰＤＣＣＨで送信されるＨＡＲＱ情報は、下りリンクにおけるＨＡＲＱプロセスの番号を示す情報（downlink HARQ process Identifier/Identity, downlink HARQ process number）も含む。非同期（asynchronous）ＨＡＲＱに関する上りリンクグラントとともにＰＤＣＣＨで送信されるＨＡＲＱ情報は、上りリンクにおけるＨＡＲＱプロセスの番号を示す情報（uplink HARQ process Identifier/Identity, uplink HARQ process number）も含んでもよい。同期（synchronous）ＨＡＲＱに関する上りリンクグラントとともにＰＤＣＣＨで送信されるＨＡＲＱ情報は、上りリンクにおけるＨＡＲＱプロセスの番号を示す情報（uplink HARQ process Identifier/Identity, uplink HARQ process number）を含まなくてもよい。
【００４３】
ＮＤＩは、初期送信、または、再送信を指示する。ＨＡＲＱエンティティは、あるＨＡＲＱプロセスに対して、ＨＡＲＱ情報によって提供されるＮＤＩが、該あるＨＡＲＱプロセスの前の送信に対するＮＤＩの値と比較してトグルされている場合、該ＨＡＲＱプロセスに初期送信をトリガーするよう指示する。ＨＡＲＱエンティティは、あるＨＡＲＱプロセスに対して、ＨＡＲＱ情報によって提供されるＮＤＩが、該あるＨＡＲＱプロセスの前の送信に対するＮＤＩの値と比較してトグルされていない場合、該ＨＡＲＱプロセスに再送信をトリガーするよう指示する。尚、ＨＡＲＱプロセスが、ＮＤＩがトグルされているかどうかを判定してもよい。
【００４４】
ＨＡＲＱエンティティは、上りリンクグラント、および、ＨＡＲＱ情報が対応するＨＡＲＱプロセスを特定し、特定したＨＡＲＱプロセスに上りリンクグラント、および、ＨＡＲＱ情報を渡す。ＨＡＲＱプロセスは、ＨＡＲＱエンティティから渡された上りリンクグラント、および、ＨＡＲＱ情報を記憶（store）する。
【００４５】
１つのＰＤＣＣＨで送信される下りリンク制御情報に付加されるＣＲＣ（Cyclic Redundancy Check）パリティビットは、Ｃ−ＲＮＴＩ（Cell-Radio Network Temporary Identifier）、ＳＰＳ（Semi Persistent Scheduling）Ｃ−ＲＮＴＩ、または、Ｔｅｍｐｏｒａｒｙ  Ｃ−ＲＮＴＩでスクランブルされる。Ｃ−ＲＮＴＩおよびＳＰＳ  Ｃ−ＲＮＴＩは、セル内において端末装置を識別するための識別子である。Ｔｅｍｐｏｒａｒｙ  Ｃ−ＲＮＴＩは、コンテンションベースランダムアクセス手順（contention based random access procedure）中に、ランダムアクセスプリアンブルを送信した端末装置１を識別するための識別子である。
【００４６】
Ｃ−ＲＮＴＩおよびＴｅｍｐｏｒａｒｙ  Ｃ−ＲＮＴＩは、単一のサブフレームにおけるＰＤＳＣＨ送信またはＰＵＳＣＨ送信を制御するために用いられる。ＳＰＳ  Ｃ−ＲＮＴＩは、ＰＤＳＣＨまたはＰＵＳＣＨのリソースを周期的に割り当てるために用いられる。
【００４７】
ＰＤＳＣＨは、下りリンクデータ（Downlink Shared Channel: DL-SCH）を送信するために用いられる。
【００４８】
ＰＭＣＨは、マルチキャストデータ（Multicast Channel: MCH）を送信するために用いられる。
【００４９】
下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００５０】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００５１】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００５２】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００５３】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００５４】
ＢＣＨ、ＭＣＨ、ＵＬ−ＳＣＨおよびＤＬ−ＳＣＨは、トランスポートチャネルである。ＭＡＣ（Medium Access Control）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００５５】
本実施形態の無線フレーム（radio frame）の構造（structure）について説明する。
【００５６】
ＬＴＥでは、２つの無線フレーム構造がサポートされる。２つの無線フレーム構造は、フレーム構造タイプ１とフレーム構造タイプ２である。フレーム構造タイプ１はＦＤＤに適用可能である。フレーム構造タイプ２はＴＤＤに適用可能である。
【００５７】
図４は、本実施形態の無線フレームの概略構成を示す図である。図４において、横軸は時間軸である。また、タイプ１およびタイプ２の無線フレームのそれぞれは、１０ｍｓ長であり、１０のサブフレームによって定義される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。
【００５８】
フレーム構造タイプ２に対して、以下の３つのタイプのサブフレームが定義される。
・下りリンクサブフレーム
・上りリンクサブフレーム
・スペシャルサブフレーム
【００５９】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００６０】
フレーム構造タイプ２の無線フレームは、少なくとも下りリンクサブフレーム、上りリンクサブフレーム、およびスペシャルサブフレームから構成される。フレーム構造タイプ２の無線フレームの構成は、ＵＬ−ＤＬ設定（uplink-downlink configuration）によって示される。端末装置１は、基地局装置３からＵＬ−ＤＬ設定を示す情報を受信する。図５は、本実施形態におけるＵＬ−ＤＬ設定の一例を示す表である。図５において、Ｄは下りリンクサブフレームを示し、Ｕは上りリンクサブフレームを示し、Ｓはスペシャルサブフレームを示す。
【００６１】
以下、上りリンクにおける同期ＨＡＲＱについて説明する。
【００６２】
同期ＨＡＲＱにおいて、上りリンクグラントが対応するＨＡＲＱプロセスは、上りリンクグラントを受信したサブフレーム、および／または、上りリンクグラントに対応するＰＵＳＣＨ（ＵＬ−ＳＣＨ）が送信されるサブフレームに関連する。端末装置１は、同期ＨＡＲＱにおいて、上りリンクグラントが対応するＨＡＲＱプロセスを、上りリンクグラントを受信したサブフレーム、および／または、上りリンクグラントに対応するＰＵＳＣＨ（ＵＬ−ＳＣＨ）が送信されるサブフレームから導き出す。
【００６３】
図６は、本実施形態における同期ＨＡＲＱの一例を示す図である。図６において、１つのサブフレームは、１つのＨＡＲＱプロセスに対応する。図６において、四角の中の数字は対応するＨＡＲＱプロセスの番号を示す。同期ＨＡＲＱにおいて、ＨＡＲＱエンティティは、ＨＡＲＱプロセスを、ＭＡＣ層のデータが送信されるサブフレーム、または、ＭＡＣ層のデータに対応するＤＣＩフォーマット０を検出したサブフレームから導き出される。
【００６４】
図６において、ＵＬグラントに対応するＭＡＣ層のデータが送信されるサブフレームは、ＵＬグラントを受信したサブフレームから導き出される。例えば、ＵＬグラントを受信したサブフレームより４つ後のサブフレームにおいて、該ＵＬグラントに対応するＭＡＣ層のデータがＰＵＳＣＨで送信される。
【００６５】
同期ＨＡＲＱにおいて、上りリンク送信に応答してＨＡＲＱインディケータがＰＨＩＣＨで送信される。上りリンク送信が行われたサブフレームと、対応するＰＨＩＣＨが送信されるサブフレームの対応は、予め定められている。例えば、ＰＵＳＣＨでＭＡＣ層のデータを送信したサブフレームより４つ後のサブフレームにおいて、該ＭＡＣ層のデータに対するＨＡＲＱインディケータがＰＨＩＣＨで送信される。また、例えば、ＰＨＩＣＨでＮＡＣＫを受信したサブフレームより４つ後のサブフレームにおいて、ＭＡＣ層のデータがＰＵＳＣＨで再送信される。
【００６６】
以下、上りリンクにおける非同期ＨＡＲＱについて説明する。
【００６７】
図７は、本実施形態における非同期ＨＡＲＱの一例を示す図である。図７において、１つのサブフレームは、１つのＨＡＲＱプロセスに対応する。図７において、四角の中の数字は対応するＨＡＲＱプロセスの番号を示す。非同期ＨＡＲＱにおいて、ＨＡＲＱエンティティは、ＨＡＲＱプロセスを、ＤＣＩフォーマット０に含まれるＨＡＲＱ情報（ＨＡＲＱプロセスの番号を示す情報）から導き出す。非同期ＨＡＲＱにおいて、上りリンク送信に応答してＨＡＲＱインディケータがＰＨＩＣＨで送信されない。すなわち、非同期ＨＡＲＱにおいて、ＭＡＣ層のデータの再送信は常にＰＤＣＣＨを介してスケジュールされる。
【００６８】
図７において、ＵＬグラントに対応するＭＡＣ層のデータが送信されるサブフレームは、ＵＬグラントを受信したサブフレームから導き出される。例えば、ＵＬグラントを受信したサブフレームより４つ後のサブフレームにおいて、該ＵＬグラントに対応するＭＡＣ層のデータがＰＵＳＣＨで送信される。
【００６９】
ＤＣＩフォーマット０にＵＬインデックスが含まれる場合、該ＤＣＩフォーマットにＨＡＲＱプロセスを示す２つの情報が含まれてもよい。ＤＣＩフォーマット０にＵＬインデックスが含まれ、ＵＬインデックス内の第１のビットおよび第２のビットの両方が“１”にセットされている場合、ＨＡＲＱプロセスの番号を示す２つの情報が示す２つのＨＡＲＱプロセスの一方が、ＰＵＳＣＨ送信が調整される第１のサブフレームに対応し、ＨＡＲＱプロセスの番号を示す２つの情報が示す２つのＨＡＲＱプロセスの他方が第２のサブフレームに対応してもよい。
【００７０】
ＤＣＩフォーマット０にＵＬインデックスが含まれる場合、該ＤＣＩフォーマットにＨＡＲＱプロセスを示す１つの情報が含まれてもよい。ＤＣＩフォーマット０にＵＬインデックスが含まれ、ＵＬインデックス内の第１のビットおよび第２のビットの両方が“１”にセットされている場合、ＨＡＲＱプロセスの番号を示す１つの情報が示す１つのＨＡＲＱプロセスが、ＰＵＳＣＨ送信が調整される第１のサブフレームおよび第２のサブフレームの両方に対応してもよい。
【００７１】
ＤＣＩフォーマット０にＵＬインデックスが含まれ、ＵＬインデックス内の第１のビットおよび第２のビットの両方が“１”にセットされている場合、ＨＡＲＱ情報（ＨＡＲＱプロセスの番号を示す情報）が示す１つのＨＡＲＱプロセスＸが、第１のサブフレームに対応し、ＨＡＲＱプロセスＸから導き出されるＨＡＲＱプロセスＹが第２のサブフレームに対応してもよい。ここで、ＸとＹは、Ｙ＝（Ｘ＋１）ｍｏｄＺという関係であってもよい。ここで、Ｚは、ＨＡＲＱエンティティが並行して管理するＨＡＲＱプロセスの数である。
【００７２】
以下、１つのＨＡＲＱプロセスが並行して管理するＨＡＲＱプロセスの数Ｚについて説明する。
【００７３】
ＦＤＤサービングセルに対応する１つのＨＡＲＱエンティティは、並行して８つのＨＡＲＱプロセスを管理する。非同期ＨＡＲＱが適用されるＦＤＤサービングセルに対するＤＣＩフォーマット０に含まれるＨＡＲＱプロセスの番号を示す情報は３ビットであってもよい。
【００７４】
図８は、本実施形態におけるＴＤＤサービングセルに対応するＨＡＲＱエンティティが並行して管理するＨＡＲＱプロセスの数の一例を示す図である。ＴＤＤサービングセルに対応する１つのＨＡＲＱエンティティが管理するＨＡＲＱプロセスの数は、該ＴＤＤサービングセルに対して設定されるＵＬ−ＤＬ設定から導き出されてもよい。非同期ＨＡＲＱが適用されるＴＤＤサービングセルに対するＤＣＩフォーマット０に含まれるＨＡＲＱプロセスの番号を示す情報は、該ＴＤＤサービングセルに対して設定されるＵＬ−ＤＬ設定から導き出されてもよい。図８において、非同期ＨＡＲＱが適用されるＴＤＤサービングセルに対してＵＬ−ＤＬ設定５が設定される場合、該ＴＤＤサービングセルに対するＤＣＩフォーマット０に含まれるＨＡＲＱプロセスの番号を示す情報は０ビットである。
【００７５】
図９は、本実施形態におけるＴＤＤサービングセルに対応するＨＡＲＱエンティティが並行して管理するＨＡＲＱプロセスの数の別の例を示す図である。ＴＤＤサービングセルに対応する１つのＨＡＲＱエンティティが管理するＨＡＲＱプロセスの数は、該ＴＤＤサービングセルに対して同期ＨＡＲＱと非同期ＨＡＲＱの何れが適用されるかに基づいてもよい。図９において、ＴＤＤサービングセルに同期ＨＡＲＱが適用される場合、該ＴＤＤサービングセルに対応する１つのＨＡＲＱエンティティが管理するＨＡＲＱプロセスの数は、該ＴＤＤサービングセルに対して設定されるＵＬ−ＤＬ設定から導き出される。図９において、ＴＤＤサービングセルに非同期ＨＡＲＱが適用される場合、該ＴＤＤサービングセルに対応する１つのＨＡＲＱエンティティが管理するＨＡＲＱプロセスの数は、ＵＬ−ＤＬ設定に関わらず、８である。
【００７６】
ＴＤＤサービングセルに対するＤＣＩフォーマット０に含まれるＨＡＲＱプロセスの番号を示す情報のビット数は、該ＴＤＤサービングセルに対して同期ＨＡＲＱと非同期ＨＡＲＱの何れが適用されるかに基づいてもよい。図９において、ＴＤＤサービングセルに非同期ＨＡＲＱが適用される場合、該ＴＤＤサービングセルに対するＤＣＩフォーマット０に含まれるＨＡＲＱプロセスの番号を示す情報のビット数は、ＵＬ−ＤＬ設定に関わらず、３ビットである。
【００７７】
以下、ＲＲＣ層におけるＨＡＲＱに関する設定について図１０から図１３を参照して説明する。
【００７８】
端末装置１は、上りリンクコンポーネントキャリアを持つサービングセル毎に、または、ＨＡＲＱエンティティ毎に、同期ＨＡＲＱおよび非同期ＨＡＲＱの何れが適用されるかを制御してもよい。すなわち、同期ＨＡＲＱが適用されるＨＡＲＱプロセスと、非同期ＨＡＲＱが適用されるＨＡＲＱプロセスは同じサービングセルに対応しなくてもよい。すなわち、同期ＨＡＲＱが適用されるＨＡＲＱプロセスと、非同期ＨＡＲＱが適用されるＨＡＲＱプロセスは同じＨＡＲＱエンティティに対応しなくてもよい。
【００７９】
基地局装置３は、あるサービングセルに対して、非同期ＨＡＲＱを指示するＲＲＣ層の情報を端末装置１に送信してもよい。端末装置１は、ＲＲＣ層において非同期ＨＡＲＱを指示するＲＲＣ層の情報が設定されている場合、対応するサービングセル（対応するサービングセルにおける送信）に非同期ＨＡＲＱを適用してもよい。端末装置１は、ＲＲＣ層において非同期ＨＡＲＱを指示するＲＲＣ層の情報が設定されていない場合、対応するサービングセルに同期ＨＡＲＱを適用してもよい。非同期ＨＡＲＱを指示するＲＲＣ層の情報は、非同期ＨＡＲＱの有効（enable）を示す情報であってもよい。
【００８０】
基地局装置３は、あるサービングセルに対して、同期ＨＡＲＱまたは非同期ＨＡＲＱを指示するＲＲＣ層の情報を端末装置１に送信してもよい。端末装置１は、ＲＲＣ層において非同期ＨＡＲＱを指示するＲＲＣ層の情報が設定されている場合、対応するサービングセルに非同期ＨＡＲＱを適用してもよい。端末装置１は、ＲＲＣ層において同期ＨＡＲＱを指示するＲＲＣ層の情報が設定されていない場合、対応するサービングセルに同期ＨＡＲＱを適用してもよい。
【００８１】
図１０は、本実施形態における同期ＨＡＲＱと非同期ＨＡＲＱを切り替える手段の第１の例を示す図である。図１０において、サービングセルの上りリンクにおいて、同期ＨＡＲＱおよび非同期ＨＡＲＱの何れが適用されるかはサービングセルのタイプ（プライマリーセル、セカンダリーセル）から導き出される。図１０において、ＲＲＣ層の情報に関わらず、プライマリーセルの上りリンク（プライマリーセルにおける上りリンクの送信）に対して常に同期ＨＡＲＱが適用される。図１０において、セカンダリーセルの上りリンク（セカンダリーセルにおける上りリンクの送信）に対して、セカンダリーセルに対するＲＲＣ層の情報に基づいて、同期ＨＡＲＱまたは非同期ＨＡＲＱが適用される。これによって、上りリンクにおいて常に同期ＨＡＲＱが適用されるようプライマリーセルを用いて、セカンダリーセルに同期ＨＡＲＱまたは非同期ＨＡＲＱの何れが適用されるかをＲＲＣ層において制御することが可能になる。
【００８２】
図１１は、本実施形態における同期ＨＡＲＱと非同期ＨＡＲＱを切り替える手段の第２の例を示す図である。図１１において、上りリンクにおいて、同期ＨＡＲＱおよび非同期ＨＡＲＱの何れが適用されるかは、上りリンクグラントが対応するＲＮＴＩ（Radio Network Temporary Identifier）から導き出される。図１１において、ＲＲＣ層の情報に関わらず、Ｔｅｍｐｏｒａｒｙ  Ｃ−ＲＮＴＩまたはＳＰＳ  Ｃ−ＲＮＴＩによってスクランブルされたＣＲＣパリティビットを含むＰＤＣＣＨで受信された上りリンクグラントに対応するＭＡＣ層のデータ（上りリンクデータの送信）に対して、常に同期ＨＡＲＱが適用される。図１１において、Ｃ−ＲＮＴＩによってスクランブルされたＣＲＣパリティビットを含むＰＤＣＣＨで受信された上りリンクグラントに対応するＭＡＣ層のデータに対して、ＲＲＣ層の情報に基づいて、同期ＨＡＲＱまたは非同期ＨＡＲＱが適用される。
【００８３】
図１２は、本実施形態における同期ＨＡＲＱと非同期ＨＡＲＱを切り替える手段の第３の例を示す図である。図１２において、上りリンクにおいて、同期ＨＡＲＱおよび非同期ＨＡＲＱの何れが適用されるかは、上りリンクグラントが受信されたサーチスペースのタイプから導き出される。図１２において、ＲＲＣ層の情報に関わらず、コモンサーチスペース（Common Search Space）で受信された上りリンクグラントに対応するＭＡＣ層のデータに対して、常に同期ＨＡＲＱが適用される。図１２において、ＵＥ固有サーチスペース（UE-specific Search Space）で受信された上りリンクグラントに対応するＭＡＣ層のデータに対して、ＲＲＣ層の情報に基づいて、同期ＨＡＲＱまたは非同期ＨＡＲＱが適用される。
【００８４】
ＵＥ固有サーチスペースは、少なくとも、端末装置１がセットしているＣ−ＲＮＴＩの値から導き出される。すなわち、ＵＥ固有サーチスペースは、端末装置１毎に個別に導き出される。コモンサーチスペースは、複数の端末装置１の間で共通のサーチスペースである。非同期ＨＡＲＱをサポートしない端末装置１および非同期ＨＡＲＱをサポートする端末装置１は、同じコモンサーチスペースを共用する。また、コモンサーチスペースは、非同期ＨＡＲＱをサポートしない端末装置１および非同期ＨＡＲＱをサポートする端末装置１に対して共通のＰＤＣＣＨをブロードキャストする。従って、コモンサーチスペースで送信されるＤＣＩフォーマット０は、従来と同じペイロードサイズであることが好ましい。すなわち、コモンサーチスペースで送信されるＤＣＩフォーマット０は、ＨＡＲＱプロセスの番号を示すための情報を含まない。ＵＥ固有サーチスペースで送信されるＤＣＩフォーマット０のみに、ＨＡＲＱプロセスの番号を示すための情報が含まれる。コモンサーチスペースで受信された上りリンクグラントに対応するＭＡＣ層のデータに対して、常に同期ＨＡＲＱが適用されるようにすることによって、コモンサーチスペースで送信されるＤＣＩフォーマット０にＨＡＲＱプロセスの番号を示すための情報を追加する必要がなくなり、コモンサーチスペースで送信されるＤＣＩフォーマット０のペイロードサイズは従来と同じになる。
【００８５】
図１３は、本実施形態における同期ＨＡＲＱと非同期ＨＡＲＱを切り替える手段の第４の例を示す図である。図１３において、上りリンクにおいて、同期ＨＡＲＱおよび非同期ＨＡＲＱの何れが適用されるかは、ランダムアクセス手順のタイプから導き出される。図１３において、ＲＲＣ層の情報に関わらず、コンテンションベースランダムアクセス手順（contention based random access procedure）に関連するランダムアクセスレスポンスに含まれる上りリンクグラントに対応するＭＡＣ層のデータに対して、常に同期ＨＡＲＱが適用される。図１３において、非コンテンションベースランダムアクセス手順（non-contention based random access procedure）に関連するランダムアクセスレスポンスに含まれる上りリンクグラントに対応するＭＡＣ層のデータに対して、ＲＲＣ層の情報に基づいて、同期ＨＡＲＱまたは非同期ＨＡＲＱが適用される。
【００８６】
図１１から図１３において、プライマリーセルに対して非同期ＨＡＲＱが適用されてもよい。この場合において、プライマリーセルにおけるランダムアクセスメッセージ３の送信に対して同期ＨＡＲＱが適用されてもよい。また、プライマリーセルにおけるコモンサーチスペースで受信された上りリンクグラントに対応するＭＡＣ層のデータに対して、同期ＨＡＲＱが適用されてもよい。
【００８７】
同期ＨＡＲＱと非同期ＨＡＲＱを切り替える手段に関して、図１０から図１３を参照して第１から第４の例を記述してきたが、具体的な構成は第１から第４の例に限られるものではなく、この発明の要旨を逸脱しない範囲の設計変更等も含まれる。また、本実施形態は、第１から第４の例の手段を適宜組み合わせて得られる実施形態についても本発明の技術的範囲に含まれる。
【００８８】
以下、ランダムアクセス手順について説明する。
【００８９】
本実施形態において、プライマリーセルおよびセカンダリーセルにおいてランダムアクセス手順が実行されてもよい。ただし、時間領域における何れのポイントにおいても１つのランダムアクセス手順のみが実行される。すなわち、複数のランダムアクセス手順は同時に実行されない。
【００９０】
本実施形態において、プライマリーセルにおいてコンテンションベースランダムアクセス手順（contention based random access procedure）、および、非コンテンションベースランダムアクセス手順（non-contention based random access procedure）が実行されてもよい。本実施形態において、セカンダリーセルにおいて非コンテンションベースランダムアクセス手順が実行されてもよい。本実施形態において、セカンダリーセルにおいてコンテンションベースランダムアクセス手順は実行されない。
【００９１】
プライマリーセルにおけるＰＲＡＣＨでランダムアクセスプリアンブルが送信されてもよい。端末装置１は、プライマリーセルにおけるランダムアクセス手順に関する情報（ＲＲＣメッセージ）を、基地局装置３から受信する。プライマリーセルにおけるランダムアクセス手順に関する情報は、プライマリーセルにおけるＰＲＡＣＨリソースのセットを示す情報を含む。
【００９２】
セカンダリーセルにおいてＰＲＡＣＨでランダムアクセスプリアンブルが送信されてもよい。端末装置１は、セカンダリーセルにおけるランダムアクセス手順に関する情報（ＲＲＣメッセージ）を、基地局装置３から受信する。セカンダリーセルにおけるランダムアクセス手順に関する情報は、セカンダリーセルにおけるＰＲＡＣＨリソースのセットを示す情報を含む。
【００９３】
コンテンションベースランダムアクセス手順の場合、端末装置１自身によってランダムアクセスプリアンブルのインデックスが選択される。非コンテンションベースランダムアクセス手順の場合、端末装置１によって基地局装置３から受信した情報に基づいてランダムアクセスプリアンブルのインデックスが選択される。基地局装置３から受信した情報のビットの値が全て０である場合、端末装置１によってコンテンションベースランダムアクセス手順が実行され、端末装置１自身によってランダムアクセスプリアンブルのインデックスが選択される。
【００９４】
プライマリーセルまたはセカンダリーセルに対するランダムアクセスレスポンスは、プライマリーセルにおけるＰＤＳＣＨで送信される。ランダムアクセスレスポンスは、上りリンクグラントにマップされる上りリンクグラントフィールド、および、Ｔｅｍｐｏｒａｒｙ  Ｃ−ＲＮＴＩを示すための情報にマップされるＴｅｍｐｏｒａｒｙ  Ｃ−ＲＮＴＩフィールドを含む。ランダムアクセスレスポンスに含まれる上りリンクグラントを、ランダムアクセスレスポンスグラントとも称する。
【００９５】
受信したランダムアクセスレスポンスに、送信したランダムアクセスプリアンブルに対応するランダムアクセスプリアンブル識別子が含まれており、端末装置１によって基地局装置３から受信した情報に基づいてランダムアクセスプリアンブルが選択された場合、端末装置１は非コンテンションベースランダムアクセス手順が成功裏に完了したとみなし、ランダムアクセスレスポンスに含まれている上りリンクグラントに基づいてＰＵＳＣＨを送信する。
【００９６】
受信したランダムアクセスレスポンスに、送信したランダムアクセスプリアンブルに対応するランダムアクセスプリアンブル識別子が含まれており、端末装置１自身によってランダムアクセスプリアンブルが選択された場合、Ｔｅｍｐｏｒａｒｙ  Ｃ−ＲＮＴＩを受信したランダムアクセスレスポンスに含まれるＴｅｍｐｏｒａｒｙ  Ｃ−ＲＮＴＩフィールドの値にセットし、ランダムアクセスレスポンスに含まれている上りリンクグラントに基づいてＰＵＳＣＨでランダムアクセスメッセージ３を送信する。
【００９７】
ランダムアクセスレスポンスに含まれている上りリンクグラントに対応するＰＵＳＣＨは、対応するプリアンブルがＰＲＡＣＨで送信されたサービングセルにおいて送信される。
【００９８】
Ｔｅｍｐｏｒａｒｙ  Ｃ−ＲＮＴＩがセットされていない場合、ランダムアクセスレスポンスに含まれる上りリンクグラントに対応するＰＵＳＣＨ、および、同じトランスポートブロックのＰＵＳＣＨ再送信のスクランブリングは、Ｃ−ＲＮＴＩに基づく。
【００９９】
Ｔｅｍｐｏｒａｒｙ  Ｃ−ＲＮＴＩがセットされている場合、ランダムアクセスレスポンスに含まれる上りリンクグラントに対応するＰＵＳＣＨ、および、同じトランスポートブロックのＰＵＳＣＨ再送信のスクランブリングは、Ｔｅｍｐｏｒａｒｙ  Ｃ−ＲＮＴＩに基づく。
【０１００】
Ｔｅｍｐｏｒａｒｙ  Ｃ−ＲＮＴＩがセットされている場合、ランダムアクセスレスポンスに含まれる上りリンクグラントに対応するＰＵＳＣＨで送信されたトランスポートブロックのＰＵＳＣＨ再送信は、Ｔｅｍｐｏｒａｒｙ  Ｃ−ＲＮＴＩによってスクランブルされたＣＲＣパリティビットが付加されたＤＣＩフォーマット０によってスケジュールされる。該ＤＣＩフォーマット０はコモンサーチスペース（Common Search Space）のＰＤＣＣＨで送信される。
【０１０１】
図１４は、本実施形態におけるランダムアクセスレスポンスの一例を示す図である。
【０１０２】
下りリンクにおいて、１つのＭＡＣ  ＰＤＵは複数のランダムアクセスレスポンスを含むことができる。図１４において、ＭＡＣ  ＲＡＲ（Random Access Response）はランダムアクセスレスポンスを示す。図１４のＭＡＣ  ＰＤＵは、１つのＭＡＣヘッダー、ｎ個のランダムアクセスレスポンス、および、パディングを含む。図１４において、１つのＭＡＣヘッダーはｎ個のＥ／Ｔ／ＲＡＰＩＤサブヘッダー（Ｅ／Ｔ／ＲＡＰＩＤフィールド）を含む。
【０１０３】
Ｅ／Ｔ／ＲＡＰＩＤサブヘッダーは、Ｅフィールド（Extension field）、Ｔフィールド（Type field）、および、ＲＡＰＩＤフィールド（Random Access Preamble IDentifier field）を含む。Ｅフィールドは、よい多くのフィールドがＭＡＣヘッダーに存在するかどうかを示すフラグである。少なくともＥ／Ｔ／ＲＡＰＩＤフィールドの他のセット続くことを示すために、Ｅフィールドは“１”にセットされる。次のバイトからＭＡＣ  ＲＡＲまたはパディングがスタートすることを示すためにＥフィールドは“０”にセットされる。
【０１０４】
Ｔフィールドは、ＭＡＣサブヘッダーがＲＡＰＩＤフィールド、または、バックオフインディケータフィールドの何れを含むかを示すためのフラグである。ＭＡＣサブヘッダー内のＲＡＰＩＤフィールドの存在を示すために、Ｔフィールドは“１”にセットされる。
【０１０５】
ＲＡＰＩＤフィールドは、送信されたランダムアクセスプリアンブルを特定する。端末装置１は、端末装置１が送信したランダムアクセスプリアンブルがＲＡＰＩＤフィールドに対応している場合、ランダムアクセスレスポンスの受信に成功したとみなし、対応するＭＡＣ  ＲＡＲを処理する。
【０１０６】
ＭＡＣ  ＲＡＲは、Ｒフィールド、タイミングアドバンスコマンドフィールド、上りリンクグラントフィールド、および、Ｔｅｍｐｏｒａｒｙ  Ｃ−ＲＮＴＩフィールドを含む。Ｒフィールドは、０にセットされる保留ビット（reserved bit）である。タイミングアドバンスコマンドフィールドは、ＰＵＳＣＨ／ＳＲＳの送信に対するタイミング調整の量を制御するために用いられるインデックス値ＴＡを示す。
【０１０７】
上りリンクグラントフィールドは、上りリンクにおいて用いられるＰＵＳＣＨのリソースを示す。上りリンクグラントフィールドには、上りリンググラントがマップされる。Ｔｅｍｐｏｒａｒｙ  Ｃ−ＲＮＴＩフィールドは、コンテンションベースランダムアクセス手順の間、端末装置１によって用いられるＴｅｍｐｏｒａｒｙ  Ｃ−ＲＮＴＩを示す。
【０１０８】
ランダムアクセスレスポンス（ＭＡＣ  ＲＡＲ）にはＨＡＲＱプロセスの番号を示す情報が含まれていないため、非コンテンションベースランダムアクセス手順に関連するランダムアクセスレスポンスに含まれる上りリンクグラントに対応するＨＡＲＱプロセスの番号を特定できないという問題がある。
【０１０９】
そこで、非同期ＨＡＲＱが適用されるサービングセルにおける非コンテンションベースランダムアクセス手順に関連するランダムアクセスレスポンスに含まれるＴｅｍｐｏｒａｒｙ  Ｃ−ＲＮＴＩフィールドに、該同じランダムアクセスレスポンスに含まれる上りリンクグラントが対応するＨＡＲＱプロセスの番号を示す情報をマップしてもよい。すなわち、非同期ＨＡＲＱが適用されるサービングセルにおける非コンテンションベースランダムアクセス手順に関連するランダムアクセスレスポンスに含まれるＴｅｍｐｏｒａｒｙ  Ｃ−ＲＮＴＩフィールドは、該同じランダムアクセスレスポンスに含まれる上りリンクグラントが対応するＨＡＲＱプロセスの番号を特定するために再利用されてもよい。
【０１１０】
非同期ＨＡＲＱが適用されるサービングセルにおける非コンテンションベースランダムアクセス手順に関連するランダムアクセスレスポンスに、Ｔｅｍｐｏｒａｒｙ  Ｃ−ＲＮＴＩフィールドの代わりに、ＨＡＲＱ情報フィールドを含めてもよい。また、ＭＡＣ  ＲＡＲに、Ｔｅｍｐｏｒａｒｙ  Ｃ−ＲＮＴＩフィールド、または、ＨＡＲＱ情報フィールドの何れが含まれているかを示すフラグであるＦフィールドを含めてもよい。本実施形態において、Ｆフィールドを含むＭＡＣ  ＲＡＲを、拡張されたＭＡＣ  ＲＡＲと称する。
【０１１１】
ＭＡＣ  ＲＡＲに含まれるＨＡＲＱ情報フィールドは、少なくとも、ＨＡＲＱプロセスの番号を示す情報にマップされる。すなわち、ＭＡＣ  ＲＡＲに含まれるＨＡＲＱ情報フィールドは、少なくとも、ＨＡＲＱプロセスの番号を示すために用いられる。また、ＭＡＣ  ＲＡＲに含まれるＨＡＲＱ情報フィールドは、変調および符号化方式を示すために用いられてもよい。また、ＭＡＣ  ＲＡＲに含まれるＨＡＲＱ情報フィールドは、リダンダンシーヴァージョン（redundancy version）を示すために用いられてもよい。
【０１１２】
図１５は、本実施形態における拡張されたＭＡＣ  ＲＡＲの一例を示す図である。図１５（ａ）は、Ｆフィールドが“０”にセットされる場合の拡張されたＭＡＣ  ＲＡＲの一例を示す図である。拡張されたＭＡＣ  ＲＡＲにＴｅｍｐｏｒａｒｙ  Ｃ−ＲＮＴＩフィールドが含まれる場合、該拡張されたＭＡＣ  ＲＡＲに含まれるＦフィールドは“０”にセットされる。図１５（ｂ）は、Ｆフィールドが“１”にセットされる場合の拡張されたＭＡＣ  ＲＡＲの一例を示す図である。拡張されたＭＡＣ  ＲＡＲにＨＡＲＱ情報フィールドが含まれる場合、該拡張されたＭＡＣ  ＲＡＲに含まれるＦフィールドは“１”にセットされる。
【０１１３】
これにより、端末装置１は、Ｆフィールドによって、拡張されたＭＡＣ  ＲＡＲに含まれるフィールドを識別することができる。また、Ｆフィールドが“０”にセットされる場合、従来の端末装置は、拡張されたＭＡＣ  ＲＡＲを従来のＭＡＣ  ＲＡＲとして認識できる。従って、従来のＭＡＣ  ＲＡＲと拡張されたＭＡＣ  ＲＡＲを１つのＭＡＣ  ＰＤＵ内で多重しても、従来の端末装置は影響されない。
【０１１４】
また、非同期ＨＡＲＱが適用されるサービングセルにおける非コンテンションベースランダムアクセス手順に関連するランダムアクセスレスポンスに含まれる上りリンクグラントが対応するＨＡＲＱプロセスの番号は、特定の値であってもよい。例えば、特定の値は、ＲＲＣ層の情報によって示されてもよい。例えば、特定の値は、サービングセルがＦＤＤであるかＴＤＤあるかに基づいてもよい。例えば、特定の値は、ＵＬ−ＤＬ設定に基づいてもよい。例えば、特定の値は、仕様書などによって予め定められていてもよい。
【０１１５】
また、端末装置１が、非同期ＨＡＲＱが適用されるサービングセルにおける非コンテンションベースランダムアクセス手順に関連するランダムアクセスレスポンスに含まれる上りリンクグラントは無効であるとみなしてもよい。すなわち、端末装置１は、非同期ＨＡＲＱが適用されるサービングセルにおける非コンテンションベースランダムアクセス手順に関連するランダムアクセスレスポンスに含まれる上りリンクグラントを無視／破棄してもよい。
【０１１６】
以下、ＨＡＲＱ機能の再設定／修正（modification）について説明する。
【０１１７】
前述したように、セカンダリーセルに同期ＨＡＲＱと非同期ＨＡＲＱの何れが適用されるかはＲＲＣ層によって制御される。端末装置１は、あるセカンダリーセルに対して、ＨＡＲＱ機能の再設定／修正（modification）が可能である。例えば、端末装置１はＲＲＣ層の情報に従ってあるセカンダリーセルに対して非同期ＨＡＲＱを設定した後に、別のＲＲＣ層の情報に従って該あるセカンダリーセルに対して同期ＨＡＲＱを再設定することができる。例えば、端末装置１はＲＲＣ層の情報に従ってあるセカンダリーセルに対して同期ＨＡＲＱを設定した後に、別のＲＲＣ層の情報に従って該あるセカンダリーセルに対して非同期ＨＡＲＱを再設定することができる。例えば、端末装置１は非同期ＨＡＲＱの有効を示すＲＲＣ層の情報に従ってあるセカンダリーセルに対して非同期ＨＡＲＱを設定した後に、該ＲＲＣ層の情報をリリースし、該あるセカンダリーセルに対して同期ＨＡＲＱを再設定することができる。これによって、ＨＡＲＱ機能を柔軟に制御することができる。ここで、ＲＲＣ層の情報は、同期ＨＡＲＱまたは非同期ＨＡＲＱを指示する。また、ＲＲＣ層の情報は、非同期ＨＡＲＱの有効（enable）を指示する情報であってもよい。
【０１１８】
尚、端末装置１は、ＨＡＲＱ機能の再設定／修正をした後にＲＲＣ完了メッセージを基地局装置３に送信する。基地局装置３は、該ＲＲＣ完了メッセージを受信することによって、端末装置１においてＨＡＲＱ機能として同期ＨＡＲＱと非同期ＨＡＲＱの何れが設定されているかを認識することができる。
【０１１９】
しかしながら、セカンダリーセルに同期ＨＡＲＱおよび非同期ＨＡＲＱの何れが適用されるかによって、該セカンダリーセルに対応するＨＡＲＱエンティティが並行して管理するＨＡＲＱプロセスの数が異なる可能性がある。これによって、あるセカンダリーセルに対するＨＡＲＱ機能に関するＲＲＣ層の情報が変更（再設定、リリース）された場合、基地局装置３が、端末装置１が継続しているＨＡＲＱプロセスを認識できなくなる可能性がある。
【０１２０】
そこで、端末装置１は、あるサービングセルに対するＲＲＣ層の情報が変更（再設定、リリース）された場合に、ランダムアクセスメッセージ３に関するバッファを除いて、端末装置１が備える複数のＨＡＲＱバッファのうち該サービングセルに対する複数のＨＡＲＱバッファをフラッシュしてもよい。また、端末装置１は、あるサービングセルに対するＲＲＣ層の情報が変更（再設定、リリース）された場合に、ランダムアクセスメッセージ３に関するＮＤＩを除いて、該サービングセルに対応するＨＡＲＱプロセスに対するＮＤＩを０にセットしてもよい。また、端末装置１および基地局装置３は、あるサービングセルに対するＲＲＣ層の情報が変更（再設定、リリース）された場合に、ランダムアクセスメッセージ３に関する送信を除いて、該サービングセルに対応するＨＡＲＱプロセスに関する次の送信を初期送信だとみなしてもよい。また、端末装置１および基地局装置３は、あるサービングセルに対するＲＲＣ層の情報が変更（再設定、リリース）された場合に、該サービングセルに対応するＨＡＲＱエンティティを初期化してもよい。
【０１２１】
そこで、端末装置１は、あるセカンダリーセルに対するＲＲＣ層の情報が変更（再設定、リリース）された場合に、端末装置１が備える複数のＨＡＲＱバッファのうち該セカンダリーセルに対する複数のＨＡＲＱバッファをフラッシュしてもよい。また、端末装置１は、あるセカンダリーセルに対するＲＲＣ層の情報が変更（再設定、リリース）された場合に、該セカンダリーセルに対応するＨＡＲＱプロセスに対するＮＤＩを０にセットしてもよい。また、端末装置１および基地局装置３は、あるセカンダリーセルに対するＲＲＣ層の情報が変更（再設定、リリース）された場合に、該セカンダリーセルに対応するＨＡＲＱプロセスに関する次の送信を初期送信だとみなしてもよい。また、端末装置１および基地局装置３は、あるセカンダリーセルに対するＲＲＣ層の情報が変更（再設定、リリース）された場合に、該セカンダリーセルに対応するＨＡＲＱエンティティを初期化してもよい。
【０１２２】
これによって、基地局装置３がＨＡＲＱ機能の再設定／修正（modification）を指示するＲＲＣ層の情報を端末装置１に送信した場合に、基地局装置３は、ＨＡＲＱ機能の再設定／修正／後のＨＡＲＱプロセスを適切に制御することが可能になる。
【０１２３】
以下、ＭＡＣ層のデータの送信回数について説明する。
【０１２４】
同期ＨＡＲＱが適用されるＨＡＲＱプロセスは、カウンターCURRENT_TX_NBを管理する。同期ＨＡＲＱが適用されるＨＡＲＱプロセスは、ＭＡＣ層のデータの初期送信を行う場合に、カウンターCURRENT_TX_NBを“０”にセットする。同期ＨＡＲＱが適用されるＨＡＲＱプロセスは、ＨＡＲＱエンティティが再送信をリクエストした場合に、カウンターCURRENT_TX_NBを“１”増加させる。同期ＨＡＲＱが適用されるＨＡＲＱプロセスは、上記の動作の後に、カウンターCURRENT_TX_NBが所定の値（例えば、最大送信回数より１つ小さい値）に達している場合、該同期ＨＡＲＱが適用されるＨＡＲＱプロセスに関連するＨＡＲＱバッファをフラッシュする。
【０１２５】
尚、最大送信回数は、基地局装置３が送信したＲＲＣ層の情報によって示されてもよい。また、該最大送信回数を示すＲＲＣ層の情報は、同期ＨＡＲＱが適用される複数のサービングセル（複数のＨＡＲＱエンティティ）に対して共通であってもよい。すなわち、最大送信回数を示すＲＲＣ層の情報が示す１つの値が、同期ＨＡＲＱが適用される複数のサービングセル（複数のＨＡＲＱエンティティ）に対して適用されてもよい。
【０１２６】
尚、ランダムアクセスメッセージ３の送信に対する最大送信回数は、ランダムアクセスメッセージ３の送信以外のデータに対する最大送信回数とは個別に設定されてもよい。ランダムアクセスメッセージ３の送信に対する最大送信回数は、基地局装置３が送信したＲＲＣ層の情報によって示されてもよい。
【０１２７】
以下、ＭＡＣ層のデータの存続期間について説明する。
【０１２８】
非同期ＨＡＲＱが適用されるＨＡＲＱプロセスは、ＨＡＲＱ存続期間タイマー（HARQ survival duration timer）を管理してもよい。非同期ＨＡＲＱが適用されるＨＡＲＱプロセスは、ＨＡＲＱエンティティによって初期送信を指示された場合、または、対応する上りリンクグラント（ＰＤＣＣＨ）が初期送信を示す場合に、ＨＡＲＱ存続期間タイマーをスタートしてもよい。非同期ＨＡＲＱが適用されるＨＡＲＱプロセスは、ＨＡＲＱ存続期間タイマーが満了したことに基づいて、該ＨＡＲＱプロセスに関連するＨＡＲＱバッファをフラッシュしてもよい。
【０１２９】
尚、ＨＡＲＱ存続期間タイマーの値（長さ）は、基地局装置３が送信したＲＲＣ層の情報によって示される最大送信回数から導き出されてもよい。また、ＨＡＲＱ存続期間タイマーの値（長さ）は、最大送信回数とは関係なく、基地局装置３が送信したＲＲＣ層の情報によって明示的に示されてもよい。また、ＨＡＲＱ存続期間タイマーの値（長さ）を明示的に示すＲＲＣ層の情報は、非同期ＨＡＲＱが適用される複数のサービングセル（複数のＨＡＲＱエンティティ）に対して共通であってもよい。すなわち、ＨＡＲＱ存続期間タイマーの値（長さ）を示すＲＲＣ層の情報が示す１つの値（長さ）が、非同期ＨＡＲＱが適用される複数のサービングセル（複数のＨＡＲＱエンティティ）に対して適用されてもよい。
【０１３０】
ＨＡＲＱプロセスは、状態変数ＨＡＲＱ＿ＦＥＥＤＢＡＣＫを管理する。ＨＡＲＱプロセスは、ＨＡＲＱエンティティが非適応（non-adaptive）再送信を要求しており、状態変数ＨＡＲＱ＿ＦＥＥＤＢＡＣＫにＮＡＣＫがセットされている場合には、上りリンクグラントに応じて送信を生成するよう物理層に指示する。
【０１３１】
同期ＨＡＲＱが適用されるＨＡＲＱプロセスは、ＰＨＩＣＨで受信したＨＡＲＱインディケータに基づいて状態変数ＨＡＲＱ＿ＦＥＥＤＢＡＣＫにＡＣＫまたはＮＡＣＫをセットする。  非同期ＨＡＲＱが適用されるＨＡＲＱプロセスは、ＰＨＩＣＨで受信したＨＡＲＱインディケータに基づいて状態変数ＨＡＲＱ＿ＦＥＥＤＢＡＣＫにＡＣＫまたはＮＡＣＫをセットしなくてもよい。
【０１３２】
同期ＨＡＲＱが適用されるＨＡＲＱプロセスは、ＨＡＲＱエンティティによる初期送信、または、適応（adaptive）再送信の要求に基づいて、状態変数ＨＡＲＱ＿ＦＥＥＤＢＡＣＫにＮＡＣＫをセットする。また、非同期ＨＡＲＱが適用されるＨＡＲＱプロセスは、ＨＡＲＱエンティティによる初期送信、または、適応（adaptive）再送信の要求に基づいて、状態変数ＨＡＲＱ＿ＦＥＥＤＢＡＣＫにＡＣＫをセットする。尚、適応再送信は、ＮＤＩによって指示される再送信であり、非適応再送信は、ＨＡＲＱインディケータによって指示される再送信である。これによって、非同期ＨＡＲＱが適用されるＨＡＲＱプロセスは、非適応再送信を行わなくなる。
【０１３３】
以下、本発明のＤＲＸ（Discontinuous Reception）について説明する。
【０１３４】
ＤＲＸ機能（functionality）は上位層（ＲＲＣ）によって設定され、ＭＡＣによって処理される。ＤＲＸ機能は、端末装置１のＣ−ＲＮＴＩおよびＳＰＳ  Ｃ−ＲＮＴＩに対する端末装置１のＰＤＣＣＨモニタリング活動（activity）を制御する。
【０１３５】
つまり、ＤＲＸ機能は、端末装置１のＣ−ＲＮＴＩまたはＳＰＳ  Ｃ−ＲＮＴＩによってスクランブルされたＣＲＣパリティビットが付加されたＤＣＩフォーマットの送信に用いられるＰＤＣＣＨに対する端末装置１のモニタリング活動を制御する。
【０１３６】
ＲＲＣ＿ＣＯＮＮＥＣＴＥＤであるときにＤＲＸが設定されるならば、端末装置１は以下で説明するＤＲＸオペレーションを用いて非連続的にＰＤＣＣＨをモニタしてもよい。それ以外の場合には、端末装置１は連続的にＰＤＣＣＨをモニタしてもよい。
【０１３７】
ＤＲＸオペレーションは、複数のサービングセルに対して共通である。
【０１３８】
上位層（ＲＲＣ）は、以下の複数のタイマーと、drxStartOffsetの値を設定することによりＤＲＸオペレーションを制御する。drxShortCycleTimerとshortDRX-Cycleを設定するかどうかは、上位層（ＲＲＣ）の任意（optional）である。
【０１３９】
・onDurationTimer
・drx-InactivityTimer
・drx-RetransmissionTimer（ブロードキャストプロセスに対する下りリンクＨＡＲＱプロセスを除いて下りリンクＨＡＲＱプロセス毎に１つ）
・UL-drx-RetransmissionTimer（非同期ＨＡＲＱが適用される上りリンクＨＡＲＱプロセス毎に１つ）
・longDRX-Cycle
・HARQ RTT（Round Trip Time）タイマー（下りリンクＨＡＲＱプロセス毎に１つ、非同期ＨＡＲＱが適用される上りリンクＨＡＲＱプロセス毎に１つ）
・drxShortCycleTimer（オプショナル）
・shortDRX-Cycle（オプショナル）
【０１４０】
基地局装置３は、onDurationTimer、drx-InactivityTimer、drx-RetransmissionTimer、longDRX-Cycle、drxShortCycleTimer、、shortDRX-Cycle、および、drxStartOffsetの値を示すパラメータ／情報を含むＲＲＣメッセージを端末装置１に送信してもよい。
【０１４１】
端末装置１は、受信した該ＲＲＣメッセージに基づいて、onDurationTimer、drx-InactivityTimer、drx-RetransmissionTimer、longDRX-Cycle、drxShortCycleTimer、shortDRX-Cycle、および、drxStartOffsetの値をセットしてもよい。
【０１４２】
longDRX-CycleおよびshortDRX-Cycleを総称して、ＤＲＸサイクルとも称する。
【０１４３】
onDurationTimerは、ＤＲＸサイクルの始めから連続するＰＤＣＣＨサブフレームの数を示す。
【０１４４】
drx-InactivityTimerは、端末装置１に対する上りリンクデータまたは下りリンクデータの初期送信を指示するＰＤＣＣＨがマップされるサブフレームの後の連続するＰＤＣＣＨサブフレームの数を示す。
【０１４５】
drx-RetransmissionTimerは、端末装置１によって期待される下りリンク再送信のための連続するＰＤＣＣＨサブフレームの最大の数を示す。全てのサービングセルに対して、drx-RetransmissionTimerの同じ値が適用される。
【０１４６】
UL-drx-RetransmissionTimerは、端末装置１によって期待される上りリンク再送信のための連続するＰＤＣＣＨサブフレームの最大の数を示す。上りリンクにおいて非同期ＨＡＲＱが適用される全てのサービングセルに対して、drx-RetransmissionTimerの同じ値が適用される。
【０１４７】
ＤＲＸサイクルは、オンデュレーション（On Duration）の繰り返し周期を示す。オンデュレーションの期間の後に、端末装置１のＣ−ＲＮＴＩおよびＳＰＳ  Ｃ−ＲＮＴＩに対する端末装置１のＰＤＣＣＨモニタリングの非活動（inactivity）が可能な期間が続く。
【０１４８】
図１６は、本実施形態におけるＤＲＸサイクルの一例を示す図である。図１６において、横軸は時間軸である。図１６において、オンデュレーションの期間Ｐ２２００において、端末装置１はＰＤＣＣＨ／ＥＰＤＣＣＨをモニタする。図１６において、オンデュレーションの期間Ｐ２２００の後の期間Ｐ２２０２が、非活動が可能な期間である。つまり、図１６において、端末装置１は、期間Ｐ２２０２においてＰＤＣＣＨ／ＥＰＤＣＣＨをモニタしなくてもよい。
【０１４９】
drxShortCycleTimerは、端末装置１がショートＤＲＸサイクルに従う連続するサブフレームの数を示す。
【０１５０】
drxStartOffsetは、ＤＲＸサイクルがスタートするサブフレームを示す。
【０１５１】
下りリンクＨＡＲＱプロセスに対応するHARQ RTTタイマーは、drx-RetransmissionTimerのスタートに関連し、下りリンクＨＡＲＱプロセス毎に管理される。下りリンクＨＡＲＱプロセスに対応するHARQ RTTタイマーは、下りリンクデータの送信から該下りリンクデータの再送信までの最小のインターバルを示す。つまり、下りリンクＨＡＲＱプロセスに対応するHARQ RTTタイマーは、端末装置１によって下りリンクＨＡＲＱ再送信が期待される前のサブフレームの最小量を示す。
【０１５２】
ＦＤＤの場合、下りリンクＨＡＲＱプロセスに対応するHARQ RTTタイマーは８サブフレームにセットされる。ＴＤＤの場合、下りリンクＨＡＲＱプロセスに対応するHARQ RTTタイマーはｋ＋４サブフレームにセットされ、ｋは下りリンク送信および該下りリンク送信に関連するＨＡＲＱフィードバックの間のインターバルであり、ＵＬ−ＤＬ設定に従って特定（選択、決定）される。
【０１５３】
尚、本実施形態では、１つの下りリンクＨＡＲＱプロセスは１つの下りリンクデータ（トランスポートブロック）のＨＡＲＱを制御する。尚、１つの下りリンクＨＡＲＱプロセスが２つの下りリンクデータを制御してもよい。
【０１５４】
上りリンクＨＡＲＱプロセスに対応するHARQ RTTタイマーは、UL-drx-RetransmissionTimerのスタートに関連し、上りリンクＨＡＲＱプロセス毎に管理される。上りリンクＨＡＲＱプロセスに対応するHARQ RTTタイマーは、上りリンクデータの送信から該上りリンクデータの再送信までの最小のインターバルを示す。つまり、上りリンクＨＡＲＱプロセスに対応するHARQ RTTタイマーは、基地局装置３による上りリンクＨＡＲＱ再送信のスケジュールが期待される前のサブフレームの最小量を示す。
【０１５５】
ＦＤＤの場合、上りリンクＨＡＲＱプロセスに対応するHARQ RTTタイマーは８サブフレームにセットされる。ＴＤＤの場合、上りリンクＨＡＲＱプロセスに対応するHARQ RTTタイマーはｊ＋４サブフレームにセットされ、ｊは上りリンク送信および該上りリンク送信に関連するＨＡＲＱフィードバックの間のインターバルであり、ＵＬ−ＤＬ設定に従って特定（選択、決定）される。
【０１５６】
尚、本実施形態では、１つの上りリンクＨＡＲＱプロセスは１つの上りリンクデータ（トランスポートブロック）のＨＡＲＱを制御する。
【０１５７】
ＤＲＸサイクルが設定された場合、アクティブタイム（Active Time）は下記の条件（ｉ）から（ｌ）の少なくとも１つを満たす期間を含む。
【０１５８】
・条件（ｉ）：onDurationTimer、drx-InactivityTimer、drx-RetransmissionTimer、UL-drx-RetransmissionTimer、または、mac-ContentionResolutionTimerがランニングしている
・条件（ｊ）：スケジューリング要求がＰＵＣＣＨで送信され、そして、ペンディングされている
・条件（ｋ）：同期ＨＡＲＱに対して、ペンディングＨＡＲＱ再送信に対する上りリンクグラントが送信される可能性があり、そして、対応するＨＡＲＱバッファにデータがある
・条件（ｌ）：端末装置１によって選択されていないプリアンブルに対するランダムアクセスレスポンスの受信に成功した後に、端末装置１のＣ−ＲＮＴＩをともない、そして、初期送信を指示するＰＤＣＣＨをずっと受信していない
【０１５９】
タイマーは一度スタートすると、タイマーがストップされるまで、または、タイマーが満了するまでランニングしている。それ以外の場合は、タイマーはランニングしていない。タイマーがランニングしていないならば、タイマーはスタートされる可能性がある。タイマーがランニングしているならば、タイマーがリスタートされる可能性がある。タイマーは常に、該タイマーの初期値からスタート、または、リスタートされる。
【０１６０】
プリアンブルは、ランダムアクセスプロシージャのメッセージ１であり、ＰＲＡＣＨで送信される。端末装置１によって選択されていないプリアンブルは、コンテンションベースドランダムアクセスプロシージャに関連する。
【０１６１】
ランダムアクセスレスポンスは、ランダムアクセスプロシージャのメッセージ２であり、ＰＤＳＣＨで送信される。基地局装置３は、受信したプリアンブルに対して、ランダムアクセスレスポンスを送信する。
【０１６２】
コンテンションベースドランダムアクセスプロシージャを実行中の端末装置１は、ランダムアクセスレスポンスを受信した後にメッセージ３を送信する。端末装置１は、メッセージ３が送信された後にメッセージ４に関連するＰＤＣＣＨをモニタする。
【０１６３】
mac-ContentionResolutionTimerは、メッセージ３が送信された後に端末装置１がＰＤＣＣＨをモニタする連続するサブフレームの数を示す。
【０１６４】
尚、全てのアクティベートされたサービングセルに対して、同じアクティブタイムが適用される。プライマリーセルは、常にアクティベートされている。セカンダリーセルは、ＭＡＣによってアクティベートまたはデアクティベートされる。基地局装置３は、セカンダリーセルのアクティベートまたはデアクティベートを指示するＭＡＣ  ＣＥを、端末装置１に送信する。
【０１６５】
端末装置１は、デアクティベートされたサービングセルにおいてＰＤＣＣＨをモニタしなくてもよい。端末装置１は、デアクティベートされたサービングセルに対するＰＤＣＣＨをモニタしなくてもよい。
【０１６６】
図１７および図１８は、本実施形態におけるＤＲＸオペレーションの一例を示すフロー図である。ＤＲＸが設定された場合、端末装置１は、サブフレームのそれぞれに対して、図１７および図１８のフロー図に基づいてＤＲＸオペレーションを実行する。
【０１６７】
このサブフレームにおいて上りリンクのＨＡＲＱプロセスに対応するHARQ RTTタイマーが満了する、且つ、該HARQ RTTタイマーに対応するＨＡＲＱプロセスに関連するＨＡＲＱバッファにデータが存在するならば（Ｓ１７００）、端末装置１は、該該HARQ RTTタイマーに対応する上りリンクのＨＡＲＱプロセスに対するUL-drx-RetransmissionTimerをスタートし（Ｓ１７０２）、そして、Ｓ１７０４に進む。それ以外の場合（Ｓ１７００）、端末装置１はＳ１７０４に進む。尚、このサブフレームにおいて上りリンクのＨＡＲＱプロセスに対応するHARQ RTTタイマーが満了する、且つ、該HARQ RTTタイマーに対応するＨＡＲＱプロセスに関連するＨＡＲＱ存続期間タイマーがランニングしているならば、端末装置１は、該該HARQ RTTタイマーに対応する上りリンクのＨＡＲＱプロセスに対するUL-drx-RetransmissionTimerをスタートしてもよい。
【０１６８】
このサブフレームにおいて下りリンクのＨＡＲＱプロセスに対応するHARQ RTTタイマーが満了する、且つ、該HARQ RTTタイマーに対応するＨＡＲＱプロセスのデータが成功裏に復号されなかったならば（Ｓ１７０４）、端末装置１は、該HARQ RTTタイマーに対応する下りリンクのＨＡＲＱプロセスに対するdrx-RetransmissionTimerをスタートし（Ｓ１７０６）、そして、Ｓ１７０８に進む。それ以外の場合（Ｓ１７０４）、端末装置１はＳ１７０８に進む。
【０１６９】
ＤＲＸコマンドＭＡＣ  ＣＥが受信されるならば（Ｓ１７０８）、端末装置１はonDurationTimerおよびdrx-InactivityTimerをストップし（Ｓ１７１０）、そして、Ｓ１７１２に進む。それ以外の場合（Ｓ１７７０８）、端末装置１はＳ１７１２に進む。
【０１７０】
drx-InactivityTimerが満了する、または、このサブフレームにおいてＤＲＸコマンドＭＡＣ  ＣＥが受信されるならば（Ｓ１７１２）、端末装置１はＳ１７１４に進む。それ以外の場合（Ｓ１７１２）、端末装置１はＳ１７２０に進む。
【０１７１】
ショートＤＲＸサイクル（shortDRX-Cycle）が設定されていないならば（Ｓ１７１４）、端末装置１はロングＤＲＸサイクルを用いる（Ｓ１７１６）、そして、Ｓ１７２０に進む。ショートＤＲＸサイクル（shortDRX-Cycle）が設定されているならば（Ｓ１７１４）、端末装置１はdrxShortCycleTimerをスタートまたはリスタートし、ショートＤＲＸサイクルを用いる（Ｓ１７１８）、そして、Ｓ１７２０に進む。
【０１７２】
このサブフレームにおいてdrxShortCycleTimerが満了するならば（Ｓ１７２０）、端末装置１は、ロングＤＲＸサイクルを用いる（Ｓ１７２２）、そして、図１８のＳ１８００に進む。それ以外の場合（Ｓ１７２０）、端末装置１は、図１８のＳ１８００に進む。
【０１７３】
（１）ショートＤＲＸサイクルが用いられる、且つ、[(SFN * 10) + subframe番号] modulo (shortDRX-Cycle) = (drxStartOffset) modulo (shortDRX-Cycle)ならば、または、（２）ロングDRXサイクルが用いられる、且つ、[(SFN * 10) + subframe番号] modulo (longDRX-Cycle) = drxStartOffsetならば（Ｓ１８００）、端末装置１はonDurationTimerをスタートし（Ｓ１８０２）、そして、Ｓ１８０４に進む。それ以外の場合（Ｓ１８００）、端末装置１はＳ１８０４に進む。
【０１７４】
以下の条件（ｍ）から（ｐ）の全てを満たすならば（Ｓ１８０４）、端末装置１は、このサブフレームにおいてＰＤＣＣＨをモニタし（１８０６）、そして、Ｓ１８０８に進む。
【０１７５】
・条件（ｍ）：このサブフレームがアクティブタイムの期間に含まれる
・条件（ｎ）：このサブフレームがＰＤＣＣＨサブフレームである
・条件（ｏ）：このサブフレームが半二重ＦＤＤ動作の端末装置１に対する上りリンク送信に必要でない
・条件（ｐ）：このサブフレームが設定された測定ギャップ（measurement gap）の一部ではない
【０１７６】
半二重ＦＤＤのサービングセルにおいて、端末装置１は上りリンクの送信と下りリンクの受信を同時に行なうことはできない。端末装置１は、ＦＤＤのバンドにおいて半二重ＦＤＤをサポートするかどうかを示す情報を、基地局装置３に送信してもよい。
【０１７７】
測定ギャップは、端末装置１が異なる周波数のセル、および／または、異なるＲＡＴ（Radio Access Technology）の測定を行なうための時間間隔である。基地局装置３は、測定ギャップの期間を示す情報を、端末装置１に送信する。端末装置１は、該情報に基づいて測定ギャップの期間を設定する。
【０１７８】
条件（ｍ）から（ｐ）の少なくとも１つを満たさないならば（Ｓ１８０４）、端末装置１は、このサブフレームに対するＤＲＸオペレーションを終了する。つまり、条件（ｍ）から（ｐ）の少なくとも１つを満たさないならば、端末装置１は、このサブフレームにおけるＰＤＣＣＨのモニタをしなくてもよい。
【０１７９】
尚、Ｓ１８０４において用いられる条件は、条件（ｍ）から（ｐ）に限られるものではなく、Ｓ１８０４において条件（ｍ）から（ｐ）と別の条件を用いてもよいし、条件（ｍ）から（ｐ）の一部を用いてもよい。
【０１８０】
ＰＤＣＣＨを介して受信した上りリンクグラントが上りリンク送信を指示するならば、または、このサブフレームに対して上りリンクグラントが設定されているならば（Ｓ１８０８）、端末装置１は、対応する上りリンクのＨＡＲＱプロセスに対するHARQ RTTタイマーをスタートし、対応する上りリンクのＨＡＲＱプロセスに対するUL-drx-RetransmissionTimerをストップする（Ｓ１８１０）。それ以外の場合（Ｓ１８０８）、端末装置１はＳ１８１２に進む。尚、端末装置１は、UL-drx-RetransmissionTimerに対応するＨＡＲＱプロセスが管理するＨＡＲＱ存続期間タイマーの満了に基づいて、該UL-drx-RetransmissionTimerをストップしてもよい。
【０１８１】
上りリンクグラントが設定されている状態は、ＳＰＳ  Ｃ−ＲＮＴＩをともなう上りリンクグラントによってセミパーシステントスケジューリングがアクティベートされている状態を意味する。
【０１８２】
ＰＤＣＣＨを介して受信した下りリンクアサインメントが下りリンク送信を指示するならば、または、このサブフレームに対して下りリンクアサインメントが設定されているならば（Ｓ１８１２）、端末装置１は、対応する下りリンクのＨＡＲＱプロセスに対するHARQ RTTタイマーをスタートし、対応する下りリンクのＨＡＲＱプロセスに対するdrx-RetransmissionTimerをストップする（Ｓ１８１４）。それ以外の場合（Ｓ１８１２）、端末装置１はＳ１８１６に進む。
【０１８３】
下りリンクアサインメントが設定されている状態は、ＳＰＳ  Ｃ−ＲＮＴＩをともなう下りリンクアサインメントによってセミパーシステントスケジューリングがアクティベートされている状態を意味する。
【０１８４】
ＰＤＣＣＨを介して受信した下りリンクアサインメントまたは上りリンクグラントが、下りリンクまたは上りリンクの初期送信を指示するならば（Ｓ１８１６）、端末装置１は、drx-InactivityTimerをスタートまたはリスタートし（１８１８）、そして、このサブフレームに対するＤＲＸオペレーションを終了する。それ以外の場合は（Ｓ１８１６）、端末装置１は、このサブフレームに対するＤＲＸオペレーションを終了する。尚、端末装置１は、ＰＤＣＣＨを介して受信した上りリンクグラントが、上りリンクの初期送信を指示するならば、対応する上りリンクのＨＡＲＱプロセスが管理するＨＡＲＱ存続期間タイマーをスタートしてもよい。
【０１８５】
尚、ＤＲＸを設定された端末装置１は、アクティブタイムではない場合、ピリオディックＳＲＳを送信しない。
【０１８６】
基地局装置３は、ＣＱＩマスキングのセットアップまたはリリースを端末装置１に指示する情報を、該端末装置１に送信してもよい。
【０１８７】
ＤＲＸを設定され、且つ、上位層によってＣＱＩマスキング（cqi-Mask）がセットアップされていない端末装置１は、アクティブタイムではない際に、ＰＵＣＣＨを介してＣＳＩを送信しない。ＤＲＸを設定され、且つ、上位層によってＣＱＩマスキング（cqi-Mask）がセットアップされた端末装置１は、onDurationTimerがランニングしていない際に、ＰＵＣＣＨを介してＣＳＩを送信しない。
【０１８８】
以下、本発明のＰＤＣＣＨサブフレームについて説明する。
【０１８９】
本実施形態において、ＦＤＤのサービングセルに対して、全てのサブフレームがＰＤＣＣＨサブフレームである。本実施形態において、端末装置１および基地局装置３は、ＴＤＤのサービングセルに対して、ＵＬ−ＤＬ設定に基づいてＰＤＣＣＨサブフレームを特定する。
【０１９０】
本実施形態において、１つのプライマリーセルを用いて基地局装置３と通信する端末装置１、および、該基地局装置３は、半二重ＴＤＤの場合には、前記プライマリーセルに対応するＵＬ−ＤＬ設定によって、下りリンクサブフレーム、または、ＤｗＰＴＳを含むサブフレームとして指示されたサブフレームをＰＤＣＣＨサブフレームとして特定（選択、決定）する。
【０１９１】
１つのプライマリーセルを用いてＴＤＤオペレーションを実行する場合、端末装置１は同時に送信および受信を行なうことはできない。つまり、１つのプライマリーセルのみを用いて実行されるＴＤＤオペレーションは、半二重ＴＤＤである。
【０１９２】
本実施形態において、１つのプライマリーセルおよび１つまたは複数のセカンダリーセルを含む複数のサービングセルを用いて基地局装置３と通信する端末装置１、および、該基地局装置３は、半二重ＴＤＤの場合には、前記プライマリーセルに対応するＵＬ−ＤＬ設定によって、下りリンクサブフレーム、または、ＤｗＰＴＳを含むサブフレームとして指示されたサブフレームをＰＤＣＣＨサブフレームとして特定する。
【０１９３】
本実施形態において、１つのプライマリーセルおよび１つまたは複数のセカンダリーセルを含む複数のサービングセルを用いて基地局装置３と通信する端末装置１、および、該基地局装置３は、全二重ＴＤＤの場合には、関連する前記セカンダリーセルに対する下りリンク割り当てが何れのサービングセルで送られるかを示すパラメータ（schedulingCellId）が前記セカンダリーセルに対して設定されているならば前記パラメータ（schedulingCellId）が設定されたセカンダリーセルを除いて、前記複数のサービングセルに対応するＵＬ−ＤＬ設定によって、下りリンクサブフレーム、または、ＤｗＰＴＳを含むサブフレームとして指示されたサブフレームの和集合（union）をＰＤＣＣＨサブフレームとして特定する。
【０１９４】
尚、関連する前記セカンダリーセルに対する下りリンク割り当てが何れのサービングセルで送られるかを示すパラメータ（schedulingCellId）が、何れのセカンダリーセルに対しても設定されていないならば、該パラメータ（schedulingCellId）が設定されたセカンダリーセルを除く処理を行わなくてもよい。
【０１９５】
図１９は、本実施形態におけるＤＲＸの一例を示す図である。図１９において、全てのタイマー、初期送信、および、再送信は、非同期ＨＡＲＱが適用される１つのＨＡＲＱプロセスに対応する。図１９において、Ｐ１００はonDurationTimerがランニングしている期間を示し、Ｐ２００は上りリンクＨＡＲＱ存続タイマーがランニングしている期間を示し、Ｐ２００は上りリンクＨＡＲＱ存続タイマーがランニングしている期間を示し、Ｐ３００およびＰ３１０は上りリのＨＡＲＱプロセスに対応するHARQ RTTタイマーがランニングしている期間を示し、Ｐ４００は上りリンクＨＡＲＱプロセスに対応するUL-drx-RetransmissionTimerがランニングしている期間を示す。図１９において、期間Ｐ１００および期間Ｐ４００の間がアクティブタイムである。図１９において、Ｎが付された四角は初期送信を示し、Ｒが付された四角は再送信を示す。
【０１９６】
時間Ｔ１０において、onDurationTimerがスタートし、ＰＤＣＣＨによって初期送信が指示される。時間Ｔ１０において、ＰＤＣＣＨによる初期送信の指示に基づいて、上りリンクＨＡＲＱ存続期間タイマーおよびHARQ RTTタイマーがスタートされる。時間Ｔ２０においてonDurationTimerが満了する。時間Ｔ３０においてHARQ RTTタイマーが満了する。時間Ｔ３０において、HARQ RTTタイマーが満了し、対応するＨＡＲＱ存続期間タイマーがランニングしており、ＨＡＲＱプロセスに関連するＨＡＲＱバッファにデータがあることに基づいて、UL-drx-RetransmissionTimerがスタートされる。時間Ｔ４０において、ＰＤＣＣＨによる再送信の指示に基づいて、HARQ RTTタイマーがスタートされる。
【０１９７】
時間Ｔ６０において、ＨＡＲＱ存続期間タイマーが満了し、ＨＡＲＱ存続期間タイマーが満了したことに基づいてＨＡＲＱプロセスに関連するＨＡＲＱバッファがフラッシュされる。時間Ｔ７０においてHARQ RTTタイマーが満了する。時間Ｔ７０において、時間Ｔ６０におけるＨＡＲＱバッファのフラッシュによってＨＡＲＱバッファが空であるため、HARQ RTTタイマーが満了したとしてもUL-drx-RetransmissionTimerをスタートしない。すなわち、時間Ｔ７０において、ＨＡＲＱ存続期間タイマーがランニングしていないことに基づいて、HARQ RTTタイマーが満了したとしてもUL-drx-RetransmissionTimerをスタートしない。
【０１９８】
以下、本実施形態における装置の構成について説明する。
【０１９９】
図１６は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベースバンド部１３を含んで構成される。上位層処理部１４は、媒体アクセス制御層処理部１５、および、無線リソース制御層処理部１６を含んで構成される。無線送受信部１０を送信部、受信部、または、物理層処理部とも称する。
【０２００】
上位層処理部１４は、ユーザの操作等により生成された上りリンクデータ（トランスポートブロック）を、無線送受信部１０に出力する。上位層処理部１４は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０２０１】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、ＨＡＲＱの制御を行う。媒体アクセス制御層処理部１５は、複数のＨＡＲＱエンティティ、複数のＨＡＲＱプロセス、および、複数のＨＡＲＱバッファを管理する。
【０２０２】
媒体アクセス制御層処理部１５は、ＰＤＣＣＨサブフレームを特定（選択、決定）する。媒体アクセス制御層処理部１５は、前記ＰＤＣＣＨサブフレームに基づいてＤＲＸの処理を行う。媒体アクセス制御層処理部１５は、前記ＰＤＣＣＨサブフレームに基づいてＤＲＸに関連するタイマーを管理する。媒体アクセス制御層処理部１５は、サブフレームにおけるＰＤＣＣＨのモニタを無線送受信部１０に指示する。ＰＤＣＣＨをモニタすることは、あるＤＣＩフォーマットに応じてＰＤＣＣＨのデコードを試みることを意味する。
【０２０３】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信したＲＲＣ層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０２０４】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【０２０５】
ＲＦ部１２は、アンテナ部１１を介して受信した信号を、直交復調によりベースバンド信号に変換し（ダウンコンバート: down covert）、不要な周波数成分を除去する。ＲＦ部１２は、処理をしたアナログ信号をベースバンド部に出力する。
【０２０６】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０２０７】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０２０８】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０２０９】
図１７は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０２１０】
上位層処理部３４は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０２１１】
上位層処理部３４が備える媒体アクセス制御層処理部３５は、媒体アクセス制御層の処理を行う。媒体アクセス制御層処理部１５は、無線リソース制御層処理部１６によって管理されている各種設定情報／パラメータに基づいて、ＨＡＲＱの制御を行う。媒体アクセス制御層処理部１５は、上りリンクデータ（ＵＬ−ＳＣＨ）に対するＡＣＫ／ＮＡＣＫおよびＨＡＲＱ情報を生成する。上りリンクデータ（ＵＬ−ＳＣＨ）に対するＡＣＫ／ＮＡＣＫおよびＨＡＲＱ情報は、ＰＨＩＣＨまたはＰＤＣＣＨで端末装置１に送信される。
【０２１２】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０２１３】
無線送受信部３０の機能は、無線送受信部１０と同様であるため説明を省略する。
【０２１４】
以下、本実施形態における、端末装置、および、基地局装置の種々の態様について説明する。
【０２１５】
（１）本実施形態の端末装置は、１つのプライマリーセルおよび１つのセカンダリーセルを含む複数のサービングセルにおいて基地局装置と通信する端末装置であって、非同期ＨＡＲＱを指示するＲＲＣ層の情報を受信する受信部と、プライマリーセルに対応する第１のＨＡＲＱプロセスおよびセカンダリーセルに対応する第２のＨＡＲＱプロセスを管理するＭＡＣ層処理部と、前記第１のＨＡＲＱプロセスおよび前記第２のＨＡＲＱプロセスからの指示に応じて、ＭＡＣ層のデータを送信する送信部と、を備え、前記ＭＡＣ層処理部は、前記非同期ＨＡＲＱを指示するＲＲＣ層の情報が設定されているかどうかに関わらず、前記第１の上りリンクＨＡＲＱプロセスに対して、常に同期ＨＡＲＱを実行するよう指示し、前記非同期ＨＡＲＱを指示するＲＲＣ層の情報が設定されているかどうかに基づいて、前記第２の上りリンクＨＡＲＱプロセスに対して、前記同期ＨＡＲＱまたは前記非同期ＨＡＲＱを実行するよう指示する。
【０２１６】
（２）本実施形態の基地局装置は、１つのプライマリーセルおよび１つのセカンダリーセルを含む複数のサービングセルにおいて端末装置と通信する基地局装置であって、非同期ＨＡＲＱを指示するＲＲＣ層の情報を送信する送信部と、プライマリーセルに対応する第１のＨＡＲＱプロセスおよびセカンダリーセルに対応する第２のＨＡＲＱプロセスを管理するＭＡＣ層処理部と、前記第１のＨＡＲＱプロセスおよび前記第２のＨＡＲＱプロセスからの指示に応じて、ＭＡＣ層のデータを受信する受信部と、を備え、前記ＭＡＣ層処理部は、前記端末装置において前記非同期ＨＡＲＱを指示するＲＲＣ層の情報が設定されているかどうかに関わらず、前記第１の上りリンクＨＡＲＱプロセスに対して、常に同期ＨＡＲＱを実行するよう指示し、前記端末装置において前記非同期ＨＡＲＱを指示するＲＲＣ層の情報が設定されているかどうかに基づいて、前記第２の上りリンクＨＡＲＱプロセスに対して、前記同期ＨＡＲＱまたは前記非同期ＨＡＲＱを実行するよう指示する。
【０２１７】
（３）本実施形態において、前記プライマリーセルは、前記端末装置が初期コネクション確立手順を行ったセル、前記端末装置がコネクション再確立手順を開始したセル、または、ハンドオーバ手順において前記プライマリーセルとして指示されるセルである。
【０２１８】
（４）本実施形態の端末装置は、非同期ＨＡＲＱを指示するＲＲＣ層の情報、および、上りリンクグラントを受信する受信部と、前記上りリンクグラントに応じて、セカンダリーセルにおいてＭＡＣ層のデータを送信する送信部と、を備え、前記非同期ＨＡＲＱを指示するＲＲＣ層の情報が設定されているかどうかに関わらず、Ｔｅｍｐｏｒａｒｙ  Ｃ−ＲＮＴＩによってスクランブルされたＣＲＣパリティビットを含む物理下りリンク制御チャネルで受信した前記上りリンクグラントに対応する前記ＭＡＣ層のデータに対して、常に同期ＨＡＲＱが適用され、Ｃ−ＲＮＴＩによってスクランブルされたＣＲＣパリティビットを含む物理下りリンク制御チャネルで受信した前記上りリンクグラントに対応する前記ＭＡＣ層のデータに対して前記同期ＨＡＲＱおよび前記非同期ＨＡＲＱの何れが適用されるかは、前記非同期ＨＡＲＱを指示するＲＲＣ層の情報が設定されているかどうかに基づく。
【０２１９】
（５）本実施形態の基地局装置は、非同期ＨＡＲＱを指示するＲＲＣ層の情報、および、上りリンクグラントを送信する送信部と、前記上りリンクグラントに応じて、セカンダリーセルにおいてＭＡＣ層のデータを受信する受信部と、を備え、前記端末装置において前記非同期ＨＡＲＱを指示するＲＲＣ層の情報が設定されているかどうかに関わらず、Ｔｅｍｐｏｒａｒｙ  Ｃ−ＲＮＴＩによってスクランブルされたＣＲＣパリティビットを含む物理下りリンク制御チャネルで送信した前記上りリンクグラントに対応する前記ＭＡＣ層のデータに対して、常に同期ＨＡＲＱが適用され、前記端末装置においてＣ−ＲＮＴＩによってスクランブルされたＣＲＣパリティビットを含む物理下りリンク制御チャネルで送信した前記上りリンクグラントに対応する前記ＭＡＣ層のデータに対して前記同期ＨＡＲＱおよび前記非同期ＨＡＲＱの何れが適用されるかは、前記端末装置において前記非同期ＨＡＲＱを指示するＲＲＣ層の情報が設定されているかどうかに基づく。
【０２２０】
（６）本実施形態において、前記端末装置において前記非同期ＨＡＲＱを指示するＲＲＣ層の情報が設定されているかどうかに関わらず、コンテンションベースランダムアクセス手順に関するランダムアクセスレスポンスに含まれる上りリンクグラントに対応する前記ＭＡＣ層のデータに対して、常に前記同期ＨＡＲＱが適用される。
【０２２１】
（７）本実施形態において、非コンテンションベースランダムアクセス手順に関するランダムアクセスレスポンスに含まれる上りリンクグラントに対応する前記ＭＡＣ層のデータに対して前記同期ＨＡＲＱおよび前記非同期ＨＡＲＱの何れが適用されるかは、前記端末装置において前記非同期ＨＡＲＱを指示するＲＲＣ層の情報が設定されているかどうかに基づく。
【０２２２】
（８）本実施形態の端末装置は、前記端末装置において前記非同期ＨＡＲＱを指示するＲＲＣ層の情報が設定されているかどうかに関わらず、ＳＰＳ  Ｃ−ＲＮＴＩによってスクランブルされたＣＲＣパリティビットを含む物理下りリンク制御チャネルで受信した前記上りリンクグラントに対応する前記ＭＡＣ層のデータに対して、常に前記同期ＨＡＲＱが適用される。
【０２２３】
（９）本実施形態の端末装置は、非同期ＨＡＲＱを指示するＲＲＣ層の情報を受信する受信部と、Ｃ−ＲＮＴＩによってスクランブルされたＣＲＣパリティビットを含む物理下りリンク制御チャネルで受信した前記上りリンクグラントに応じて、ＭＡＣ層のデータを送信する送信部と、を備え、前記非同期ＨＡＲＱを指示するＲＲＣ層の情報が設定されているかどうかに関わらず、第１のサーチスペースにおける前記物理下りリンク制御チャネルで受信した前記上りリンクグラントに対応するＭＡＣ層のデータの送信に対して、常に同期ＨＡＲＱが適用され、第２のサーチスペースにおける前記物理下りリンク制御チャネルで受信した前記上りリンクグラントに対応するＭＡＣ層のデータの送信に対して前記同期ＨＡＲＱおよび非同期ＨＡＲＱの何れが適用されるかは、前記非同期ＨＡＲＱを指示するＲＲＣ層の情報が設定されているかどうかに基づく。
【０２２４】
（１０）本実施形態の基地局装置は、非同期ＨＡＲＱを指示するＲＲＣ層の情報を送信する送信部と、Ｃ−ＲＮＴＩによってスクランブルされたＣＲＣパリティビットを含む物理下りリンク制御チャネルで送信した前記上りリンクグラントに応じて、ＭＡＣ層のデータを受信する受信部と、を備え、前記端末装置において前記非同期ＨＡＲＱを指示するＲＲＣ層の情報が設定されているかどうかに関わらず、第１のサーチスペースにおける前記物理下りリンク制御チャネルで送信した前記上りリンクグラントに対応するＭＡＣ層のデータの送信に対して、常に同期ＨＡＲＱが適用され、第２のサーチスペースにおける前記物理下りリンク制御チャネルで送信した前記上りリンクグラントに対応するＭＡＣ層のデータの受信に対して前記同期ＨＡＲＱおよび非同期ＨＡＲＱの何れが適用されるかは、前記端末装置において前記非同期ＨＡＲＱを指示するＲＲＣ層の情報が設定されているかどうかに基づく。
【０２２５】
（１１）本実施形態において、前記第１のサーチスペースは、ＣＳＳ（Common Search Space）であり、前記第２のサーチスペースは、Ｃ−ＲＮＴＩによって与えられるＵＳＳ（UE-specific Search Space）である。
【０２２６】
（１２）本実施形態の端末装置は、セカンダリーセルに対する非同期ＨＡＲＱを指示するＲＲＣ層の情報、および、上りリンクグラントおよびＴｅｍｐｏｒａｒｙ  Ｃ−ＲＮＴＩを示すためのフィールドを含むランダムアクセスレスポンスであり、前記セカンダリーセルにおける非コンテンションベースランダムアクセス手順に関する第１のランダムアクセスレスポンスを受信する受信部と、ＭＡＣ層のデータを送信する送信部と、複数のＨＡＲＱプロセスを管理し、上りリンクグラントに応じて前記ＭＡＣ層のデータを送信するよう前記送信部に指示するＨＡＲＱプロセスに前記上りリンクグラントを渡すＭＡＣ層処理部と、を備え、前記非同期ＨＡＲＱを指示するＲＲＣ層の情報が設定されている場合、前記第１のランダムアクセスレスポンスに含まれる上りリンクグラントを渡すＨＡＲＱプロセスは、前記第１のランダムアクセスレスポンスに含まれるＴｅｍｐｏｒａｒｙ  Ｃ−ＲＮＴＩを示すためのフィールドの値から導き出される。
【０２２７】
（１３）本実施形態の端末装置において、前記非同期ＨＡＲＱを指示するＲＲＣ層の情報が設定されていない場合、前記第１のランダムアクセスレスポンスに含まれる上りリンクグラントを渡すＨＡＲＱプロセスは、前記第１のランダムアクセスレスポンスを受信したサブフレームから導き出される。
【０２２８】
（１４）本実施形態の端末装置において、前記受信部は、前記セカンダリーセルにおけるコンテンションベースランダムアクセス手順に関する第２のランダムアクセスレスポンスを受信し、前記非同期ＨＡＲＱを指示するＲＲＣ層の情報が設定されているかどうかに関わらず、前記第２のランダムアクセスレスポンスに含まれる上りリンクグラントを渡すＨＡＲＱプロセスは、前記第２のランダムアクセスレスポンスを受信したサブフレームから導き出される。
【０２２９】
（１５）本実施形態の基地局装置は、セカンダリーセルに対する非同期ＨＡＲＱを指示するＲＲＣ層の情報、および、上りリンクグラントおよびＴｅｍｐｏｒａｒｙ  Ｃ−ＲＮＴＩを示すためのフィールドを含むランダムアクセスレスポンスであり、前記セカンダリーセルにおける非コンテンションベースランダムアクセス手順に関する第１のランダムアクセスレスポンスを送信する送信部と、ＭＡＣ層のデータを受信する受信部と、複数のＨＡＲＱプロセスを管理するＭＡＣ層処理部と、を備え、前記端末装置において前記非同期ＨＡＲＱを指示するＲＲＣ層の情報が設定されている場合、前記第１のランダムアクセスレスポンスに含まれるＴｅｍｐｏｒａｒｙ  Ｃ−ＲＮＴＩを示すためのフィールドの値は、前記第１のランダムアクセスレスポンスに含まれる上りリンクグラントに対応するＨＡＲＱプロセスを示す。
【０２３０】
（１６）本実施形態の基地局装置において、前記端末装置において前記非同期ＨＡＲＱを指示するＲＲＣ層の情報が設定されていない場合、前記第１のランダムアクセスレスポンスに含まれる上りリンクグラントに対応するＨＡＲＱプロセスは、前記第１のランダムアクセスレスポンスを送信したサブフレームに関連する。
【０２３１】
（１７）本実施形態の基地局装置において、前記送信部は、前記セカンダリーセルにおけるコンテンションベースランダムアクセス手順に関する第２のランダムアクセスレスポンスを送信し、前記非同期ＨＡＲＱを指示するＲＲＣ層の情報が設定されているかどうかに関わらず、前記第２のランダムアクセスレスポンスに含まれる上りリンクグラントに対応するＨＡＲＱプロセスは、前記第２のランダムアクセスレスポンスを送信したサブフレームに関連する。
【０２３２】
（１８）本実施形態の端末装置は、非同期ＨＡＲＱを指示するＲＲＣ層の情報を受信する受信部と、ＭＡＣ層のデータを送信する送信部と、上りリンクグラントに応じて前記ＭＡＣ層のデータを送信するよう前記送信部に指示するＨＡＲＱプロセスに前記上りリンクグラントを渡すＭＡＣ層処理部と、を備え、前記非同期ＨＡＲＱを指示するＲＲＣ層の情報が設定されているかどうかに関わらず、Ｔｅｍｐｏｒａｒｙ  Ｃ−ＲＮＴＩによってスクランブルされたＣＲＣパリティビットを含む物理下りリンク制御チャネルで受信した前記上りリンクグラントを渡すＨＡＲＱプロセスは、前記Ｔｅｍｐｏｒａｒｙ  Ｃ−ＲＮＴＩによってスクランブルされたＣＲＣパリティビットを含む物理下りリンク制御チャネルで前記上りリンクグラントを受信したサブフレームから導き出され、Ｃ−ＲＮＴＩによってスクランブルされたＣＲＣパリティビットを含む物理下りリンク制御チャネルで受信した前記上りリンクグラントを渡すＨＡＲＱプロセスが、前記Ｃ−ＲＮＴＩによってスクランブルされたＣＲＣパリティビットを含む物理下りリンク制御チャネルで受信したＨＡＲＱ情報、および、前記Ｃ−ＲＮＴＩによってスクランブルされたＣＲＣパリティビットを含む物理下りリンク制御チャネルで前記上りリンクグラントを受信したサブフレームの何れから導き出されるかは、前記非同期ＨＡＲＱを指示するＲＲＣ層の情報が設定されているかどうかに基づく。
【０２３３】
（１９）本実施形態の端末装置において、前記非同期ＨＡＲＱを指示するＲＲＣ層の情報が設定されているかどうかに関わらず、コンテンションベースランダムアクセス手順に関するランダムアクセスレスポンスに含まれる上りリンクグラントを渡すＨＡＲＱプロセスは、前記ランダムアクセスレスポンスを受信したサブフレームの番号から導き出される。
【０２３４】
（２０）本実施形態の端末装置において、非コンテンションベースランダムアクセス手順に関するランダムアクセスレスポンスに含まれる上りリンクグラントを渡すＨＡＲＱプロセスが、前記ランダムアクセスレスポンスに含まれる情報、および、前記Ｃ−ＲＮＴＩによってスクランブルされたＣＲＣパリティビットを含む物理下りリンク制御チャネルで前記上りリンクグラントを受信したサブフレームの何れから導き出されるかは、前記非同期ＨＡＲＱを指示するＲＲＣ層の情報が設定されているかどうかに基づく。
【０２３５】
（２１）本実施形態の端末装置において、前記非同期ＨＡＲＱを指示するＲＲＣ層の情報が設定されているかどうかに関わらず、ＳＰＳ  Ｃ−ＲＮＴＩによってスクランブルされたＣＲＣパリティビットを含む物理下りリンク制御チャネルで受信した前記上りリンクグラントを渡すＨＡＲＱプロセスは、前記ＳＰＳ  Ｃ−ＲＮＴＩによってスクランブルされたＣＲＣパリティビットを含む物理下りリンク制御チャネルで前記上りリンクグラントを受信したサブフレームから導き出される。
【０２３６】
（２２）本実施形態の基地局装置は、非同期ＨＡＲＱを指示するＲＲＣ層の情報、および、上りリンクグラントを送信する送信部と、ＭＡＣ層のデータを受信する受信部と、該上りリンクグラントに応じて前記ＭＡＣ層のデータを送信するよう前記送信部に指示するＨＡＲＱプロセスに前記上りリンクグラントを渡すＭＡＣ層処理部と、を備え、前記端末装置において前記非同期ＨＡＲＱを指示するＲＲＣ層の情報が設定されているかどうかに関わらず、Ｔｅｍｐｏｒａｒｙ  Ｃ−ＲＮＴＩによってスクランブルされたＣＲＣパリティビットを含む物理下りリンク制御チャネルで送信した前記上りリンクグラントに対応するＨＡＲＱプロセスは、前記Ｔｅｍｐｏｒａｒｙ  Ｃ−ＲＮＴＩによってスクランブルされたＣＲＣパリティビットを含む物理下りリンク制御チャネルで前記上りリンクグラントを送信したサブフレームに関連し、Ｃ−ＲＮＴＩによってスクランブルされたＣＲＣパリティビットを含む物理下りリンク制御チャネルで送信した前記上りリンクグラントを渡すＨＡＲＱプロセスが、前記Ｃ−ＲＮＴＩによってスクランブルされたＣＲＣパリティビットを含む物理下りリンク制御チャネルで送信したＨＡＲＱ情報によって示されるか、および、前記Ｃ−ＲＮＴＩによってスクランブルされたＣＲＣパリティビットを含む物理下りリンク制御チャネルで前記上りリンクグラントを送信したサブフレームに関連するかは、前記端末装置において前記非同期ＨＡＲＱを指示するＲＲＣ層の情報が設定されているかどうかに基づく。
【０２３７】
（２３）本実施形態の基地局装置において、前記端末装置において前記非同期ＨＡＲＱを指示するＲＲＣ層の情報が設定されているかどうかに関わらず、コンテンションベースランダムアクセス手順に関するランダムアクセスレスポンスに含まれる上りリンクグラントに対応するＨＡＲＱプロセスは、前記ランダムアクセスレスポンスを送信したサブフレームに関連する。
【０２３８】
（２４）本実施形態の基地局装置において、非コンテンションベースランダムアクセス手順に関するランダムアクセスレスポンスに含まれる上りリンクグラントに対応するＨＡＲＱプロセスが、前記ランダムアクセスレスポンスに含まれる情報によって示されるか、および、前記Ｃ−ＲＮＴＩによってスクランブルされたＣＲＣパリティビットを含む物理下りリンク制御チャネルで前記上りリンクグラントを送信したサブフレームに関連するかは、前記非同期ＨＡＲＱを指示するＲＲＣ層の情報が設定されているかどうかに基づく。
【０２３９】
（２５）本実施形態の基地局装置において、前記端末装置において前記非同期ＨＡＲＱを指示するＲＲＣ層の情報が設定されているかどうかに関わらず、ＳＰＳ  Ｃ−ＲＮＴＩによってスクランブルされたＣＲＣパリティビットを含む物理下りリンク制御チャネルで送信した前記上りリンクグラントに対応するＨＡＲＱプロセスは、前記ＳＰＳ  Ｃ−ＲＮＴＩによってスクランブルされたＣＲＣパリティビットを含む物理下りリンク制御チャネルで前記上りリンクグラントを送信したサブフレームに関連する。
【０２４０】
（２６）本実施形態の端末装置は、Ｃ−ＲＮＴＩによってスクランブルされたＣＲＣパリティビットを含む物理下りリンク制御チャネルで上りリンクグラントを受信する受信部と、ＭＡＣ層のデータを送信する送信部と、前記上りリンクグラントを、前記上りリンクグラントに応じて前記ＭＡＣ層のデータを送信するよう前記送信部に指示するＨＡＲＱプロセスに渡すＭＡＣ層処理部と、を備え、非同期ＨＡＲＱを指示するＲＲＣ層の情報が設定されているかどうかに関わらず、第１のサーチスペースにおける前記物理下りリンク制御チャネルで受信した前記上りリンクグラントを渡すＨＡＲＱプロセスは、前記第１のサーチスペースにおける前記物理下りリンク制御チャネルで前記上りリンクグラントを受信したサブフレームから導き出され、第２のサーチスペースにおける前記物理下りリンク制御チャネルで受信した前記上りリンクグラントを渡すＨＡＲＱプロセスが、前記第２のサーチスペースにおける前記物理下りリンク制御チャネルで受信したＨＡＲＱ情報、および、前記第２のサーチスペースにおける物理下りリンク制御チャネルで前記上りリンクグラントを受信したサブフレームの何れから導き出されるかは、前記非同期ＨＡＲＱを指示するＲＲＣ層の情報が設定されているかどうかに基づく。
【０２４１】
（２７）本実施形態の基地局装置は、Ｃ−ＲＮＴＩによってスクランブルされたＣＲＣパリティビットを含む物理下りリンク制御チャネルで上りリンクグラントを送信する送信部と、ＭＡＣ層のデータを受信する受信部と、複数のＨＡＲＱプロセスを管理するＭＡＣ層処理部と、を備え、前記端末装置において非同期ＨＡＲＱを指示するＲＲＣ層の情報が設定されているかどうかに関わらず、第１のサーチスペースにおける前記物理下りリンク制御チャネルで送信した前記上りリンクグラントに対応するＨＡＲＱプロセスは、前記第１のサーチスペースにおける前記物理下りリンク制御チャネルで前記上りリンクグラントを送信したサブフレームに関連し、第２のサーチスペースにおける前記物理下りリンク制御チャネルで送信した前記上りリンクグラントに対応するＨＡＲＱプロセスが、前記第２のサーチスペースにおける前記物理下りリンク制御チャネルで送信したＨＡＲＱ情報によって示されるか、前記第２のサーチスペースにおける物理下りリンク制御チャネルで前記上りリンクグラントを送信したサブフレームに関連するかは、前記端末装置において前記非同期ＨＡＲＱを指示するＲＲＣ層の情報が設定されているかどうかに基づく。
【０２４２】
（２８）本実施形態の端末装置は、セカンダリーセルに対する同期ＨＡＲＱまたは非同期ＨＡＲＱを指示するＲＲＣ層のパラメータを受信する受信部と、前記ＲＲＣ層のパラメータに基づいて、前記セカンダリーセルにおけるＭＡＣ層のデータの送信に対して同期ＨＡＲＱまたは非同期ＨＡＲＱを適用するＭＡＣ層処理部と、ＭＡＣ層のデータがストアされる複数のＨＡＲＱバッファと、を備え、前記ＨＡＲＱ制御部は、前記ＲＲＣ層のパラメータが変更／再設定／リリースされた場合に、前記複数のＨＡＲＱバッファのうち前記セカンダリーセルに対するＨＡＲＱバッファをフラッシュする。
【０２４３】
（２９）本実施形態の端末装置は、セカンダリーセルに対する同期ＨＡＲＱまたは非同期ＨＡＲＱを指示するＲＲＣ層のパラメータを受信する受信部と、前記ＲＲＣ層のパラメータに基づいて、前記セカンダリーセルにおけるＭＡＣ層のデータの送信に対して同期ＨＡＲＱまたは非同期ＨＡＲＱを適用するＭＡＣ層処理部と、を備え、前記ＭＡＣ層処理部は、前記セカンダリーセルにおいて送信されるＭＡＣ層のデータに関するＨＡＲＱプロセスを管理し、前記ＲＲＣ層のパラメータが変更／再設定された場合に、前記ＨＡＲＱプロセスに対するＮＤＩを０にセットする。
【０２４４】
（３０）本実施形態の端末装置は、セカンダリーセルに対する同期ＨＡＲＱまたは非同期ＨＡＲＱを指示するＲＲＣ層のパラメータを受信する受信部と、前記ＲＲＣ層のパラメータに基づいて、前記セカンダリーセルにおけるＭＡＣ層のデータの送信に対して同期ＨＡＲＱまたは非同期ＨＡＲＱを適用するＭＡＣ層処理部と、を備え、前記ＭＡＣ層処理部は、前記セカンダリーセルにおいて送信されるＭＡＣ層のデータに関するＨＡＲＱプロセスを管理し、前記ＲＲＣ層のパラメータが変更／再設定された場合に、前記ＨＡＲＱプロセスに関する次の送信を初期送信だとみなす。
【０２４５】
（３１）本実施形態の端末装置は、セカンダリーセルに対する同期ＨＡＲＱまたは非同期ＨＡＲＱを指示するＲＲＣ層のパラメータを受信する受信部と、前記ＲＲＣ層のパラメータに基づいて、前記セカンダリーセルにおけるＭＡＣ層のデータの送信に対して同期ＨＡＲＱまたは非同期ＨＡＲＱを適用するＭＡＣ層処理部と、を備え、前記ＭＡＣ層処理部は、前記セカンダリーセルにおけるＭＡＣ層のデータに関する複数のＨＡＲＱプロセスを管理するＨＡＲＱエンティティを含み、前記ＲＲＣ層のパラメータが変更／再設定された場合に、前記ＨＡＲＱエンティティを初期化する。
【０２４６】
（３２）本実施形態の端末装置は、間欠受信を行なう端末装置であって、物理下りリンク制御チャネルをモニタする受信部と、上りリンクの送信に対応するＨＡＲＱ（Hybrid Automatic Repeat reQuest）プロセスであって、同期ＨＡＲＱまたは非同期ＨＡＲＱが適用される前記ＨＡＲＱプロセス、前記ＨＡＲＱプロセスに対するＨＡＲＱ  ＲＴＴ（Round Trip Time）タイマー、前記ＨＡＲＱプロセスに対する第１のタイマー、および、前記ＨＡＲＱプロセスに関連するバッファを制御する媒体アクセス制御層処理部と、を備え、前記端末装置は、サブフレームのそれぞれに対して：前記ＨＡＲＱ  ＲＴＴタイマーがあるサブフレームにおいて満了し、且つ、前記ＨＡＲＱバッファが空ではない場合に、前記第１のタイマーをスタートし；前記第１のタイマーがランニングしている期間を含むアクティブタイムの間において、前記物理下りリンク制御チャネルをモニタし；前記物理下りリンク制御チャネルが前記上りリンクの送信を示し、且つ、前記ＨＡＲＱプロセスに対して前記非同期ＨＡＲＱが適用される場合に、前記ＨＡＲＱ  ＲＴＴタイマーをスタートする。
【０２４７】
（３３）本実施形態の端末装置において、前記サブフレームのそれぞれに対して、前記ＨＡＲＱプロセスに対して前記非同期ＨＡＲＱが適用され、前記ＨＡＲＱ  ＲＴＴタイマーが前記あるサブフレームにおいて満了し、且つ、前記ＨＡＲＱバッファが空ではない場合に、前記第１のタイマーをスタートする。
【０２４８】
（３４）本実施形態の端末装置において、前記サブフレームのそれぞれに対して、前記ＨＡＲＱ  ＲＴＴタイマーが前記あるサブフレームにおいて満了し、且つ、前記ＨＡＲＱバッファが空である場合に、前記第１のタイマーをスタートしない。
【０２４９】
（３５）本実施形態の端末装置において、前記サブフレームのそれぞれに対して、前記物理下りリンク制御チャネルが前記上りリンクの送信を示し、且つ、前記ＨＡＲＱプロセスに対して前記同期ＨＡＲＱが適用される場合に、前記ＨＡＲＱ  ＲＴＴタイマーをスタートしない。
【０２５０】
（３６）本実施形態の端末装置において、前記物理下りリンク制御チャネルが前記上りリンクの初期送信を示す場合、前記ＨＡＲＱプロセスに対する第２のタイマーをスタートし、
前記第２のタイマーの満了に基づいて前記ＨＡＲＱバッファをフラッシュする。
【０２５１】
（３７）本実施形態の端末装置において、前記ＨＡＲＱプロセスが上りリンクの初期送信を要求された場合、前記ＨＡＲＱプロセスに対する第２のタイマーをスタートし、前記第２のタイマーの満了に基づいて前記ＨＡＲＱバッファをフラッシュする。
【０２５２】
これにより、端末装置１は、効率的に基地局装置３と通信することができる。
【０２５３】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２５４】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２５５】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２５６】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２５７】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２５８】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２５９】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２６０】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２６１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２６２】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2018101823.tif 000003
【図２】
2018101823.tif 000004
【図３】
2018101823.tif 000005
【図４】
2018101823.tif 000006
【図５】
2018101823.tif 000007
【図６】
2018101823.tif 000008
【図７】
2018101823.tif 000009
【図８】
2018101823.tif 000010
【図９】
2018101823.tif 000011
【図１０】
2018101823.tif 000012
【図１１】
2018101823.tif 000013
【図１２】
2018101823.tif 000014
【図１３】
2018101823.tif 000015
【図１４】
2018101823.tif 000016
【図１５】
2018101823.tif 000017
【図１６】
2018101823.tif 000018
【図１７】
2018101823.tif 000019
【図１８】
2018101823.tif 000020
【図１９】
2018101823.tif 000021
【図２０】
2018101823.tif 000022
【図２１】
2018101823.tif 000023